(57)【要約】  対象を絞った通信機能が本明細書において提供される。対象を絞った通信機能により、さまざまなコンテンツの分配環境におけるさまざまなタイプの情報の対象を絞った配信が可能になる。情報には、コンテンツ（例えば、テキスト、音声、画像、ビデオ、マルチメディアなど）、コンテンツおよびアクティビティの推奨、広告などが含まれ得る。コンテンツの分配環境には、ラジオ・システム、インターネット、ビデオ・ベースのシステムなどが含まれ得る。対象を絞った通信機能には、放送音声コンテンツのソースから放送音声コンテンツを受信するために使用される放送音声チャネルをハイブリッド・ラジオがサポートするハイブリッド・ラジオ機能、および、ハイブリッド・ラジオと１つまたは複数のネットワーク装置との間の相互作用を可能にする（例えば、フィードバックがハイブリッド・ラジオからネットワークに提供されることを可能にし、かつ／または（放送音声チャネルを介して受信された放送音声コンテンツに加えて）情報がハイブリッド・ラジオに提供されることを可能にする）ように構成された、対象を絞った通信チャネルが含まれ得る。対象を絞った通信機能は、さまざまな他のタイプの対象を絞った通信機能（例えば、コンテキスト・ベースのラジオ機能、リアルタイムの交通状況警報機能、インターネット・ベースのラジオ機能、ビデオ・ベースの対象を絞った通信機能など、ならびに、それらのさまざまな組合せ）をサポートすることができる。
2013546031.tif 000002
【特許請求の範囲】
【請求項１】
放送ラジオ・チャネルを介して放送音声コンテンツを受信するために構成された第１の通信モジュールと、
データ通信チャネルをサポートするために構成され、前記データ通信チャネルを介してフィードバック情報を送信すること、および前記データ通信チャネルを介して対象を絞った通信情報を受信することのうちの少なくとも１つのために構成された、第２の通信モジュールと
を備えた装置。
【請求項２】
前記フィードバック情報がユーザに関連するユーザのコンテキスト情報を含み、前記対象を絞った通信情報が、
前記ユーザのコンテキスト情報に基づいて前記ユーザ向けに選択された音声コンテンツと、
前記ユーザのコンテキスト情報に基づいて前記ユーザ向けに選択された音声コンテンツの推奨と
のうちの少なくとも１つを含む、請求項１に記載の装置。
【請求項３】
前記対象を絞った通信情報が、ユーザによって経験されると予想される交通状況を前記ユーザに警告するためになされた交通警報を含み、前記対象を絞った通信情報が、前記ユーザが前記交通警報の前記交通状況によって影響を受けると予想される時間の長さに基づいて前記ユーザ向けに選択された推奨をさらに含む、請求項１に記載の装置。
【請求項４】
前記フィードバック情報が、
前記放送ラジオ・チャネルを介して受信された前記放送音声コンテンツを、ユーザが好きか嫌いかを示すユーザの嗜好情報と、
ユーザの位置、ユーザの位置の少なくとも１つの特徴、前記ユーザの位置での時刻、および前記ユーザの気分のうちの少なくとも１つを含む、前記ユーザに関連するユーザのコンテキスト情報と、
交通状況を示す情報を報告する交通状況と
のうちの少なくとも１つを含む、請求項１に記載の装置。
【請求項５】
前記対象を絞った通信情報が、
ユーザのユーザ・プロフィールに基づいて前記ユーザ向けに選択されたコンテンツと、
ユーザのユーザ・プロフィールに基づいて前記ユーザ向けに行われた、前記ユーザ向けのコンテンツの推奨と、
ユーザによって経験されると予想される交通状況を前記ユーザに警告するためになされた交通警報と
のうちの少なくとも１つを含む、請求項１に記載の装置。
【請求項６】
放送ラジオ・チャネルを介して受信された放送音声コンテンツの提示を制御し、
前記データ通信チャネルを介したフィードバック情報の送信、および前記データ通信チャネルを介した対象を絞った通信情報の受信のうちの少なくとも１つを含む、データ通信チャネルを介した通信を制御する
ように構成されたプロセッサ
を備えた装置。
【請求項７】
前記フィードバック情報がユーザに関連するユーザのコンテキスト情報を含み、前記対象を絞った通信情報が、
前記ユーザのコンテキスト情報に基づいて前記ユーザ向けに選択された音声コンテンツと、
前記ユーザのコンテキスト情報に基づいて前記ユーザ向けに選択された音声コンテンツの推奨と
のうちの少なくとも１つを含む、請求項６に記載の装置。
【請求項８】
前記対象を絞った通信情報が、ユーザによって経験されると予想される交通状況を前記ユーザに警告するためになされた交通警報を含み、前記対象を絞った通信情報が、前記ユーザが前記交通警報の前記交通状況によって影響を受けると予想される時間の長さに基づいて前記ユーザ向けに選択された推奨をさらに含む、請求項６に記載の装置。
【請求項９】
前記フィードバック情報が、
前記放送ラジオ・チャネルを介して受信された前記放送音声コンテンツを、ユーザが好きか嫌いかを示すユーザの嗜好情報と、
前記ユーザの位置、前記ユーザの位置の少なくとも１つの特徴、前記ユーザの位置での時刻、および前記ユーザの気分のうちの少なくとも１つを含む、前記ユーザに関連するユーザのコンテキスト情報と、
交通状況を示す情報を報告する交通状況と
のうちの少なくとも１つを含む、請求項６に記載の装置。
【請求項１０】
前記対象を絞った通信情報が、
ユーザのユーザ・プロフィールに基づいて前記ユーザ向けに選択されたコンテンツと、
ユーザのユーザ・プロフィールに基づいて前記ユーザ向けに行われた、前記ユーザ向けのコンテンツの推奨と、
ユーザによって経験されると予想される交通状況を前記ユーザに警告するためになされた交通警報と
のうちの少なくとも１つを含む、請求項６に記載の装置。
【発明の詳細な説明】
【技術分野】
【０００１】
本発明は、一般に通信ネットワークに関し、より詳細には、それに限らないが、通信ネットワークを介して対象を絞った通信を提供することに関する。
【背景技術】
【０００２】
新聞、ラジオ、テレビ、電話通信システム、インターネットおよびそのさまざまなサービス（例えば、ソーシャル・ネットワーク・サイト）、などの多くのさまざまなタイプの通信媒体が今日存在する。しかしながら、不都合なことに、多くのタイプの通信媒体が利用可能であるが、利用可能な通信媒体のタイプが多数あると、視聴者の細分化をもたらす。すなわち、視聴者は非常に多くのさまざまな媒体チャネルおよび体験にわたって分散されるので、対象を絞って視聴者と通信するのはきわめて困難になる。さらに、広告主の観点から見ると、ほとんどの既存の通信媒体のタイプ（特にラジオ、および、より最近はテレビ）は、それらの広告チャネルとしての有効性を失いつつある。広告がオンラインに移る傾向にあるが、しかしながら、この市場は現在唯一のプレーヤによって支配され、さらに、価格はしばしば上昇し、（例えば、バナー上または他の広告上のどのクリックが実際に本当の顧客または少なくとも潜在的な顧客であるかを判定しようと試みる）制御不能な指標に基づいている。
【発明の概要】
【０００３】
従来技術におけるさまざまな欠陥が、対象を絞った通信を提供するための実施形態によって対処される。対象を絞った通信機能が本明細書において提供される。対象を絞った通信機能により、さまざまなコンテンツの分配環境におけるさまざまなタイプの情報の対象を絞った配信が可能になる。情報には、コンテンツ（例えば、テキスト、音声、画像、ビデオ、マルチメディアなど）、コンテンツおよびアクティビティの推奨、広告などが含まれ得る。コンテンツの分配環境には、ラジオ・システム、インターネット、ビデオ・ベースのシステムなどが含まれ得る。対象を絞った通信機能には、放送音声コンテンツのソースから放送音声コンテンツを受信するために使用される放送音声チャネルをハイブリッド・ラジオがサポートするハイブリッド・ラジオ機能、および、ハイブリッド・ラジオと１つまたは複数のネットワーク装置との間の相互作用を可能にする（例えば、フィードバックがハイブリッド・ラジオからネットワーク装置に提供されることを可能にし、かつ／または（放送音声チャネルを介して受信された放送音声コンテンツに加えて）情報がハイブリッド・ラジオに提供されることを可能にする）ように構成された、対象を絞った通信チャネルが含まれ得る。対象を絞った通信機能は、さまざまな他のタイプの対象を絞った通信機能（例えば、コンテキスト・ベースのラジオ機能、リアルタイムの交通状況警報機能、インターネット・ベースのラジオ機能、ビデオ・ベースの対象を絞った通信機能など、ならびに、それらのさまざまな組合せ）をサポートすることができる。
【０００４】
本明細書における教示は、添付図面とともに以下の詳細な説明を考察することにより、容易に理解することができる。
【図面の簡単な説明】
【０００５】
【図１】例示的なハイブリッド・ラジオ通信システムのハイレベル・ブロック図である。
【図２】図１のハイブリッド・ラジオ通信システムの中で対象を絞った通信を提供するための方法の一実施形態を描写する図である。
【図３】図１のハイブリッド・ラジオ通信システムの中でコンテキスト・ベースのラジオ機能を提供するための方法の一実施形態を描写する図である。
【図４】リアルタイムの交通状況警報機能を提供するための方法の一実施形態を描写する図である。
【図５】インターネット・ベースのラジオ機能向けの例示的な音声コンテンツ・ウェブサイトのインタフェース・ページを描写する図である。
【図６】インターネット・ベースのラジオ機能向けの例示的な音声コンテンツ・ウェブサイトのコンテンツ・アクセス・ページを描写する図である。
【図７】インターネット・ベースのラジオ機能を介したユーザのユーザ体験の制御を示す例示的なユーザ体験環境を描写する図である。
【図８】インターネット・ベースのラジオ機能を使用するための方法の一実施形態を描写する図である。
【図９】例示的なビデオ・ベースの対象を絞った通信システムのハイレベル・ブロック図である。
【図１０】対象を絞った通信チャネルを使用して個性化されたザッピング体験を提供するための方法の一実施形態を描写する図である。
【図１１】ローカル処理を使用して個性化されたザッピング体験を提供するための方法の一実施形態を描写する図である。
【図１２】本明細書に記載された機能を実行するのに適切なコンピュータのハイレベル・ブロック図である。
【発明を実施するための形態】
【０００６】
理解を容易にするために、可能な場合同一の参照数字を使用して、図に共通した同一の構成要素を指定している。
【０００７】
本明細書において対象を絞った通信機能が描写および記載される。対象を絞った通信機能により、さまざまなコンテンツの分配環境におけるさまざまなタイプの情報の対象を絞った配信が可能になる。情報には、コンテンツ（例えば、テキスト、音声、画像、ビデオ、マルチメディアなど）、コンテンツおよびアクティビティの推奨、広告などが含まれ得る。コンテンツの分配環境には、ラジオ・システム、インターネット、ビデオ・ベースのシステムなどが含まれ得る。対象を絞った通信機能には、放送音声コンテンツのソースから放送音声コンテンツを受信するために使用される放送音声チャネルをハイブリッド・ラジオがサポートするハイブリッド・ラジオ機能、および、ハイブリッド・ラジオと１つまたは複数のネットワーク装置との間の相互作用を可能にする（例えば、フィードバックがハイブリッド・ラジオからネットワーク装置に提供されるのを可能にし、かつ／または（放送音声チャネルを介して受信された放送音声コンテンツに加えて）情報がハイブリッド・ラジオに提供されることを可能にする）ように構成された、対象を絞った通信チャネルが含まれ得る。対象を絞った通信機能は、さまざまな他のタイプの対象を絞った通信機能（例えば、コンテキスト・ベースのラジオ機能、リアルタイムの交通状況警報機能、インターネット・ベースのラジオ機能、ビデオ・ベースの対象を絞った通信機能など、ならびに、それらのさまざまな組合せ）をサポートすることができる。
【０００８】
一実施形態では、対象を絞った通信機能は、１つまたは複数の音声ベースの対象を絞った通信機能（例えば、ハイブリッド・ラジオ機能、コンテキスト・ベースのラジオ機能など）を含む。
【０００９】
一実施形態では、１つまたは複数の音声ベースの対象を絞った通信機能はハイブリッド・ラジオ機能を含む。
【００１０】
ハイブリッド・ラジオ機能は、放送チャネル、および本明細書において対象を絞った通信チャネルと呼ばれる別の通信チャネルをサポートするように構成されたハイブリッド・ラジオを含む。放送チャネルは、放送音声コンテンツのソースから放送音声コンテンツを受信するために使用される。対象を絞った通信チャネルは、ハイブリッド・ラジオとネットワークとの間の相互作用を可能にするように構成され、ハイブリッド・ラジオからネットワークへのアップリンク部、および／またはネットワークからハイブリッド・ラジオへのダウンリンク部を含む。対象を絞った通信チャネルは、ハイブリッド・ラジオに提供される情報を制御する際に使用するために、フィードバックがハイブリッド・ラジオからネットワークに提供されることを可能にする。対象を絞った通信チャネルにより、（放送音声チャネルを介して受信される放送音声コンテンツに加えて）情報がハイブリッド・ラジオに提供されることが可能になる。対象を絞った通信チャネルを介してハイブリッド・ラジオで受信される情報には、音声コンテンツ、サービス、（例えば、音声コンテンツ、サービスなどに対する）推奨など、ならびにさまざまなそれらの組合せのうちの１つまたは複数が含まれ得る。ハイブリッド・ラジオ機能のさまざまな実施形態は、関連する教示がハイブリッド・ラジオ機能のコンテキスト内で、および／またはハイブリッド・ラジオ機能とともに使用されるか、または使用され得る、図１〜２および他の図を参照することによって、より良く理解することができる。
【００１１】
図１は、例示的なハイブリッド・ラジオ通信システムのハイレベル・ブロック図を描写する。
【００１２】
ハイブリッド・ラジオ通信システム１００は、ハイブリッド・ラジオ（ＨＲ）１１０、複数の放送音声ソース（ＢＡＳ）１２０１〜１２０Ｎ（一括して、ＢＡＳ１２０）、および管理システム（ＭＳ）１３０を含む。
【００１３】
ＨＲ１１０は、放送チャネル（実例として、ＢＡＳ１２０からの放送チャネル１２５）および対象を絞った通信チャネル（実例として、ＭＳ１３０との相互作用をサポートする対象を絞った通信チャネル１３５）をサポートするために構成されたラジオである。
【００１４】
ＨＲ１１０は、カーラジオ、ステレオ内のラジオ、目覚まし時計内のラジオなどの、任意の適切なラジオ装置であり得る。したがって、ＨＲ１１０を構成する部品の少なくとも一部、ならびにＨＲ１１０のそのような部品の構成は、ラジオの種類によって異なる場合がある。
【００１５】
ＨＲ１１０は、プロセッサ１１１、メモリ１１２、放送受信機（ＢＲ）１１３、対象を絞った通信送受信機（ＴＣＴ）１１４、入出力（Ｉ／Ｏ）モジュール１１５、ユーザ・インタフェース１１６、および提示インタフェース１１７を含む。
【００１６】
プロセッサ１１１は、ＨＲ１１０の動作を制御するために構成される。プロセッサ１１１は、メモリ１１２、ＢＲ１１３、ＴＣＴ１１４、およびＩ／Ｏモジュール１１５のそれぞれに結合される。Ｉ／Ｏモジュール１１５は、ユーザ・インタフェース１１６および提示インタフェース１１７に結合される。
【００１７】
メモリ１１２は、プログラム、データなどを含む、ＨＲ１１０の動作に関連する情報を格納するために構成される。例えば、メモリ１１２は、ＨＲ１１０の動作を制御するためのプログラム、対象を絞った通信チャネル１３５を介してＨＲ１１０からＭＳ１３０に提供されるフィードバック情報を収集するためのプログラムなどを格納することができる。例えば、メモリ１１２は、ＨＲ１１０による再生用にＨＲ１１０で受信された音声コンテンツ、対象を絞った通信チャネル１３５を介してＨＲ１１０からＭＳ１３０に提供されるフィードバック情報、対象を絞った通信チャネル１３５を介してＨＲ１１０で受信された対象を絞った通信など、ならびにそれらのさまざまな組合せを格納することができる。
【００１８】
ＢＲ１１３は、放送チャネル１２５を介して放送音声コンテンツを受信するために構成される。単一の放送チャネル１２５をサポートするように描写および記載したが、ＢＲ１１３は任意の適切な放送音声ソース（実例として、ＢＡＳ１２０のいずれか）から放送音声コンテンツを受信するようなされていることが理解されよう。ＢＲ１１３は、任意の適切な放送音声ソースから任意の適切な放送音声コンテンツを受信するように調整するために構成することができる。
【００１９】
ＴＣＴ１１４は、アップリンクを介してフィードバック情報を送信するため、およびダウンリンクを介して対象を絞った情報を受信するために構成される。ＴＣＴ１１４は、任意の適切なタイプの双方向通信をサポートすることができる。一実施形態では、ＴＣＴ１１４は無線通信をサポートする（例えば、ＭＳ１３０への通信経路の少なくとも一部は、例えば、セルラ通信、ＷｉＦｉ通信など、ならびにそれらのさまざまな組合せを使用する無線である）。これは、さまざまなタイプのラジオ（例えば、カーラジオ、携帯型オーディオ・プレーヤ内のラジオ、ステレオに内蔵されたラジオなど）に使用することができる。一実施形態では、ＴＣＴ１１４は、有線通信をサポートする（例えば、それによりＨＲ１１０がＭＳ１３０と通信できる、ＨＲ１１０からアクセス・ネットワークへの接続は、適切なアクセス技術、例えば、イーサネット、ケーブル・アクセスなど、ならびにそれらのさまざまな組合せを使用して配線される）。これは、さまざまなタイプのラジオ（例えば、ネットワーク接続を有するオーディオ・プレーヤに内蔵されたラジオ、インターネット・ベースのラジオ（例えば、そこでＴＣＴ１１４は、インターネット・ベースのラジオがアクセスされるコンピュータのネットワーク・インタフェース部の一部を形成することができる）、など）に使用することができる。ＴＣＴ１１４は、任意の適切なタイプの通信プロトコルをサポートすることができる。一実施形態では、例えば、ＴＣＴ１１４は、ＩＰベースの通信をサポートするために、例えば、ＩＰベースのアップリンクおよびＩＰベースのダウンリンクをサポートするために構成される。その他の適切な通信プロトコルを使用できることが理解されよう。
【００２０】
主に、双方向通信機能を有するものとして、本明細書において描写および記載したが、他の実施形態では、ＴＣＴ１１４は、単に、（例えば、その他の適切な通信チャネルを介してＨＲ１１０に対象を絞った情報を提供する際に使用するために構成することができる）フィードバック情報を送信するために構成された送信機、または、（例えば、ＭＳ１３０上で利用可能なユーザ・プロフィール情報に基づいて、かつ／もしくは他のネットワーク・アクセス可能なソースから、関連するユーザ用に選択された）対象を絞った情報を受信するために構成された受信機である場合があることが理解されよう。
【００２１】
単一の対象を絞った通信チャネル１３５をサポートするように描写および記載したが、ＴＣＴ１１４は、任意の適切な数のセッション（例えば、任意の適切な数のＩＰフロー）をサポートする任意の適切な数のチャネルをサポートするようなされており、それらのセッションは、ＭＳ１３０および／もしくはフィードバック情報のその他の適切な受信者に向けることができ、かつ／または、ＭＳ１３０および／もしくは対象を絞った通信のその他の適切なソースから発信することができる。
【００２２】
対象を絞った通信チャネル１３５をサポートする単一のモジュール（実例として、ＴＣＴ１１４）に関して描写および記載したが、対象を絞った通信チャネル１３５をサポートするために任意の適切な数および／またはタイプの通信モジュールを使用することができる。通信モジュールには、対象を絞った通信チャネル１３５による通信をサポートするのに適切な、１つまたは複数の受信機、１つまたは複数の送信機、１つまたは複数の送受信機、１つまたは複数の他のタイプの構成部品など、ならびにそれらのさまざまな組合せが含まれ得る。
【００２３】
Ｉ／Ｏモジュール１１５は、ユーザ・インタフェース１１６および提示インタフェース１１７との通信をサポートするために構成される。Ｉ／Ｏモジュール１１５は、ユーザ・インタフェース１１６からユーザ入力を受信するため、ならびに、ユーザ入力の適切な処理（例えば、ラジオ局の変更、音量および他の音声制御の調節、ＭＳ１３０へ伝搬するためのフィードバック情報の処理など、ならびにそれらのさまざまな組合せ）のためにプロセッサ１１１にユーザ入力を提供するために構成される。Ｉ／Ｏモジュール１１５は、プロセッサ１１１から情報を受信するため、および提示インタフェース１１７に情報を提供するため（例えば、スピーカにより音声コンテンツを再生するため、表示インタフェースにより情報（例えば、現在再生されている音声コンテンツについての情報、ＨＲ１１０を介して提供できる１つまたは複数のサービスに関連する情報など）を表示するため、など、ならびにそれらのさまざまな組合せのため）に構成される。理解しやすいように省略したが、Ｉ／Ｏモジュール１１５は、本明細書において描写および記載されたさまざまな機能を提供するために、ＨＲ１１０のその他の構成要素とインタフェースできることが理解されよう。
【００２４】
ユーザ・インタフェース１１６は、ラジオの任意の適切なユーザ・インタフェースであり得る。例えば、ユーザ・インタフェース１１６には、つまみ（例えば、音量、選局など）、ボタン（例えば、ラジオ制御ボタン、局プリセット・ボタンなど）、タッチ・スクリーン・コントロール（例えば、音量用、選局用、局プリセット用のコントロールなど）、など、ならびにそれらのさまざまな組合せなどの、１つまたは複数のユーザ・インタフェース・コントロールが含まれ得る。ラジオのユーザ・インタフェースの通常の設計および動作（ならびにさまざまなタイプのラジオのユーザ・インタフェース間の差異）が理解されよう。
【００２５】
一実施形態では、ユーザ・インタフェース１１６は、さまざまな対象を絞った通信機能に関連する１つまたは複数の別のユーザ・コントロールも含むことができる。
【００２６】
別のユーザ・コントロールは、本明細書において描写および記載されたさまざまな対象を絞った通信機能とともに提供することができる任意のユーザ・コントロールを含むことができる。例えば、別のユーザ・コントロールには、ＨＲ１１０を介して再生中の音声コンテンツに関するリアルタイムのフィードバックをユーザが提供することを可能にするようなされた、ＬＩＫＥコントロールおよび／またはＤＩＳＬＩＫＥコントロールのうちの１つまたは複数、（例えば、コンテキスト・ベースのラジオ機能に関連するユーザのコンテキスト情報を提供し、リアルタイムの交通状況警報機能に関連する交通状況を知らせる、などのために）ＨＲ１１０を介して提供することができる１つまたは複数のサービスに関するリアルタイムのフィードバックをユーザが提供することを可能にするようなされた、１つまたは複数のＲＥＰＯＲＴ  ＣＯＮＤＩＴＩＯＮコントロールなど、ならびにそれらのさまざまな組合せが含まれ得る。
【００２７】
別のユーザ・コントロールは、ラジオのタイプに依存する可能性がある任意の適切なコントロールを使用して実装することができる。例えば、別のユーザ・コントロールには、１つまたは複数のボタン、（例えば、それと関連する画像アイコンをもつことができ、常に表示することができ、タッチ・スクリーン・ディスプレイを介して表示されたさまざまなメニューおよびオプションとの相互作用によってアクセスできるなど、ならびにそれらのさまざまな組合せが可能な）１つまたは複数のタッチ・スクリーン・コントロールなど、ならびにそれらのさまざまな組合せが含まれ得る。
【００２８】
ユーザ・コントロールの少なくとも一部がタッチ・スクリーンを介して表示された一実施形態では、表示されたユーザ・コントロールの少なくとも一部は、コンテキストに基づいて変化する可能性がある。例は、本明細書において描写および記載されたさまざまな機能をサポートするハイブリッド・ラジオをもつ車をユーザが運転している場面であり得る。この例では、コンテキストが変化する（例えば、交通渋滞に遭遇する、かかってきた電話を受ける、など）につれて、ユーザに利用可能なユーザ・コントロールは、コンテキストに基づいて変化する可能性がある。この実施形態は、ハイブリッド・ラジオ機能、およびハイブリッド・ラジオ機能とともに使用することができるさまざまな他の機能のさらなる説明に続いて、本明細書においてさらに詳細に記載される。
【００２９】
提示インタフェース１１７は、ラジオの、ならびにラジオに関連する任意の適切な提示インタフェースであり得る。提示インタフェース１１７は、音声コンテンツを再生するためのスピーカを含む。提示インタフェース１１７は、情報を表示するための１つまたは複数のディスプレイも含むことができる。例えば、１つまたは複数のディスプレイは、ＨＲ１１０を介して再生中の音声コンテンツに関連する情報（例えば、選局されているラジオ局の局番号、選局されているラジオ局の名前、アーティストの名前、音声コンテンツの名前など、ならびにそれらのさまざまな組合せ）を表示するために使用することができる。例えば、１つまたは複数のディスプレイは、対象を絞った通信情報（例えば、コンテンツおよびサービスに対する推奨、サービスに関連する情報など、ならびにそれらのさまざまな組合せ）を表示するために使用することができる。提示インタフェース１１７は、本明細書において描写および記載された対象を絞った通信機能に関連するその他の情報を提示するために使用することもできる。
【００３０】
提示インタフェース１１７は、ＨＲ１１０の一部として組み込むか、またはＨＲ１１０と関連付けることができる。一実施形態では、例えば、提示インタフェース１１７は、ラジオの一部として組み込まれたディスプレイ（例えば、カーラジオ上のディスプレイ、ミューシック・プレーヤのラジオのディスプレイなど）であり得る。一実施形態では、例えば、提示インタフェース１１７は、ラジオによって使用される別のシステムのディスプレイ、または、ラジオを含む複数のシステムによって使用するためのディスプレイ（例えば、車両内に据え付けられ、ＨＲ１１０用の提示インタフェースとしても使用されるナビゲーション・システムのディスプレイ、ＨＲ１１０が家庭用娯楽システムに統合または関連付けられた場所のテレビなど）であり得る。
【００３１】
主に、別個のものとして、本明細書において描写および記載したが、（例えば、ラジオのタイプおよび／またはＨＲ１１０の実装に依存する）少なくともいくつかの実施形態では、ユーザ・インタフェース１１６と提示インタフェース１１７は、少なくとも部分的に統合できることが理解されよう。例えば、ラジオが使用するためのタッチ・スクリーン・ディスプレイ、およびナビゲーション・システムを有する車両内のラジオの場合、ユーザ・インタフェース１１６および提示インタフェース１１７のさまざまな機能は、車両のタッチ・スクリーン・ディスプレイを使用して提供することができる。
【００３２】
ＨＲ１１０は、場合によっては１つまたは複数のシステムとインタフェースする。図１に描写されたように、一実施形態では、Ｉ／Ｏモジュール１１５は、ＨＲ１１０の外部の１つまたは複数のシステム１１９とインタフェースする。システム１１９は、ラジオのタイプに依存する可能性がある任意の適切なシステムであり得る。
【００３３】
例えば、ＨＲ１１０が車両内のラジオである一実施形態では、システム１１９は、本明細書において描写および記載された対象を絞った通信機能を提供するためにＨＲ１１０とインタフェースできる任意の車両システムを含むことができる。一実施形態では、例えば、システム１１９は、（例えば、ＭＳ１３０が車両の位置に基づいて音声コンテンツをＨＲ１１０のユーザに提供または推奨することを可能にするために、ＭＳ１３０が交通状況警報サービスをＨＲ１１０のユーザに提供することを可能にするために、など、ならびにそれらのさまざまな組合せのために、ＨＲ１１０が対象を絞った通信チャネル１３５を介して車両の位置情報をＭＳ１３０に提供できるように車両の位置情報をＨＲ１１０に提供するための）車両のＧＰＳシステムを含むことができる。一実施形態では、例えば、システム１１９は、（例えば、ＭＳ１３０が車両の速度に基づいて音声コンテンツをＨＲ１１０のユーザに提供または推奨することを可能にするために、車両の速度が閾値より下に落ちるとＭＳ１３０がコンテンツおよび／またはサービスをＨＲ１１０のユーザに推奨することを可能にするために、など、ならびにそれらのさまざまな組合せのために、ＨＲ１１０が対象を絞った通信チャネル１３５を介して車両速度情報をＭＳ１３０に提供できるように車両速度情報をＨＲ１１０に提供するための）車両の速度監視システムを含むことができる。ＨＲ１１０は、対象を絞った通信チャネル１３５を介してフィードバック情報をＭＳ１３０に提供するために、その他の車両システムとインタフェースすることができる。
【００３４】
例えば、ＨＲ１１０が家庭用娯楽システムに内蔵されたラジオである一実施形態では、システム１１９は、本明細書において描写および記載された対象を絞った通信機能を提供するために、ＨＲ１１０がインタフェースできる家庭用娯楽システムの任意のシステムを含むことができる。一実施形態では、例えば、システム１１９は、（例えば、ＭＳ１３０がビデオ・ベースのコンテンツに基づいて音声コンテンツをＨＲ１１０のユーザに提供または推奨することを可能にするために、ＭＳ１３０がビデオ・ベースのコンテンツに基づいて１つまたは複数のサービスをＨＲ１１０のユーザに提供または推奨することを可能にするために、など、ならびにそれらのさまざまな組合せのために、ＨＲ１１０が対象を絞った通信チャネル１３５を介してビデオ・ベースのコンテンツ情報をＭＳ１３０に提供できるように、テレビで再生中のビデオ・ベースのコンテンツのタイプを示す情報をＨＲ１１０に提供するための）家庭用娯楽システムのテレビまたは関連するテレビ受信機を含むことができる。ＨＲ１１０は、対象を絞った通信チャネル１３５を介してフィードバック情報をＭＳ１３０に提供するために、家庭用娯楽システムのその他のシステムとインタフェースすることができる。
【００３５】
主に、特定のタイプおよび構成の構成要素に関して、本明細書において描写および記載したが、さまざまなタイプのラジオが、本明細書において描写および記載されたハイブリッド・ラジオ機能を提供するために、さまざまなタイプおよび／または構成の構成要素を利用できることが理解されよう。
【００３６】
本明細書において記載したように、ＨＲ１１０は、ＢＡＳ１２０から放送音声コンテンツを受信するために、および、本明細書において描写および記載されたさまざまな対象を絞った通信機能を提供するためのＭＳ１３０と相互作用するために構成される。
【００３７】
ＢＡＳ１２０は、ＡＭラジオ局、ＦＭラジオ局、衛星ラジオ局などの任意の放送音声ソースを含むことができる。ＨＲ１１０は、放送チャネル１２５を介してＢＡＳ１２０から放送音声コンテンツを受信する。ＢＡＳ１２０の観点から、ＨＲ１１０への放送チャネル１２５はさまざまな資産を有する（すなわち、さまざまなＢＡＳ１２０は、ＨＲ１１０がさまざまなＢＡＳ１２０から放送音声コンテンツを受信するために選局できるさまざまな放送チャネルをサポートする）ことが理解されよう。
【００３８】
ＭＳ１３０は、さまざまな対象を絞った通信機能を提供するために構成された管理システムである。
【００３９】
ＭＳ１３０は、ＨＲ１１０との対象を絞った通信チャネル１３５をサポートし、それにより、さまざまな対象を絞った通信機能を提供するために、ＨＲ１１０とＭＳ１３０との間の相互作用を可能にする。対象を絞った通信チャネル１３５は、（例えば、フィードバックをＨＲ１１０からＭＳ１３０に提供することを可能にする）ＨＲ１１０からＭＳ１３０へのアップリンク部、および（例えば、対象を絞った情報をＭＳ１３０からＨＲ１１０に提供することを可能にする）ＭＳ１３０からＨＲ１１０へのダウンリンク部を含む。本明細書において記載したように、ＨＲ１１０に提供される対象を絞った情報は、音声コンテンツ、サービス、（例えば、音声コンテンツ、サービスなどに対する）推奨など、ならびにそれらのさまざまな組合せのうちの１つまたは複数を含むことができる。本明細書において記載したように、対象を絞った通信チャネル１３５は、無線および／または有線の通信機能を利用できる任意の適切なタイプの双方向通信を使用して実装することができる。本明細書において記載したように、対象を絞った通信チャネル１３５は、任意の適切なタイプの通信プロトコルをサポートすることができる。一実施形態では、例えば、対象を絞った通信チャネル１３５は、ＩＰベースのアップリンクおよびＩＰベースのダウンリンクをサポートするＩＰベースの通信チャネルである。その他の適切な通信プロトコルを使用できることが理解されよう。双方向であるとして本明細書において描写および記載したが、他の実施形態では、対象を絞った通信チャネル１３５は、例えば、アップリンクまたはダウンリンクのどちらかの通信チャネルとして実装される、単方向であり得ることが理解されよう。
【００４０】
ＭＳ１３０は、対象を絞った通信チャネル１３５を介してＨＲ１１０からフィードバック情報を受信するため、ＨＲ１１０に提供される対象を絞った通信情報を識別するためのフィードバック情報を処理するため、およびＨＲ１１０に対象を絞った通信情報を伝播するために構成される。ＭＳ１３０は、そのような機能を提供するために、さまざまな他の構成要素（例えば、ＨＲ１１０に提供される対象を絞った通信情報を識別するために処理できる１つまたは複数の他の入力情報のソース、ＭＳ１３０からの命令に応答して対象を絞った通信情報をＨＲ１１０に提供するために構成された１つまたは複数の構成要素など、ならびにそれらのさまざまな組合せ）と通信するためにも構成することができる。
【００４１】
ＭＳ１３０は、プロセッサ１３１およびメモリ１３２を含む。プロセッサ１３１は、本明細書において描写および記載されたさまざまな対象を絞った通信機能を提供するために、メモリ１３２と協働する（例えば、プログラムおよび制御論理回路の実行、処理用のデータへのアクセス、ＨＲ１１０から受信されたフィードバック情報の処理、ＨＲ１１０に提供される対象を絞った通信情報の格納など、ならびにそれらのさまざまな組合せ）。メモリ１３２は、本明細書において描写および記載されたさまざまな対象を絞った通信機能を提供する際に使用するのに適切な、プログラム、データ、および同様の情報を格納する。一実施形態では、メモリ１３２は、ユーザ・プロフィール１３３Ｕ、分析論理回路１３３Ａ、音声コンテンツ１３３Ｃ、およびサービス論理回路１３３Ｓを格納する。メモリ１３２は、本明細書において描写および記載されたその他のプログラム、データ、および同様の情報を格納することができる。
【００４２】
ユーザ・プロフィール１３３Ｕはユーザに関連する情報を含む。ユーザ・プロフィールは、任意の細分性で（例えば、複数のユーザを含むことができるＨＲベース毎に、複数のユーザが同じＨＲにアクセスする場合でもユーザ・ベース毎に、など、ならびにそれらのさまざまな組合せで）格納することができる。ユーザ・プロフィール１３３Ｕは、ユーザおよび／またはユーザの代理人により（例えば、登録処理の一部として、自分のプロフィールを更新するユーザに基づいて、などで）構成されたユーザ情報全般を格納することができる。ユーザ・プロフィール１３３Ｕは、ユーザから（例えば、対象を絞った通信チャネル１３５を介してＨＲ１１０から、それを介してユーザが自分のＨＲ１１０に関連するフィードバックを提供できる１つまたは複数の他の装置から（例えば、スマートフォンを介して、コンピュータを介して、など）、など、ならびにそれらのさまざまな組合せから）受信されたフィードバック情報を含むことができる。ユーザ・プロフィール１３３Ｕは、１つまたは複数の他のネットワーク構成要素から（例えば、ユーザ・プロフィール情報を保持する他のネットワーク構成要素から）ＭＳ１３０によって受信および／または抽出された情報を含むことができる。ユーザ・プロフィール１３３Ｕは、対象を絞った通信情報を判定してＨＲを介してユーザに提供するために分析することができるその他の適切な入力情報を含むことができる。一実施形態では、ユーザ・プロフィール１３３Ｕは、ＭＳ１３０によりユーザ用に判定された対象を絞った通信情報（例えば、ユーザに提供および／または推奨された音声コンテンツ、ユーザに提供および／または推奨されたサービスなど、ならびにそれらのさまざまな組合せ）の一部または全部も含むことができる。ユーザ・プロフィール１３３Ｕはその他の適切な情報を含むことができる。
【００４３】
分析論理回路１３３Ａは、ユーザ用の対象を絞った通信情報を判定するための情報を分析するために構成される。例えば、分析論理回路１３３Ａは、対象を絞った通信チャネル１３５を介してＨＲ１１０に提供される１つまたは複数の音声コンテンツ、対象を絞った通信チャネル１３５を介してＨＲ１１０に提供される１つまたは複数のサービス、対象を絞った通信チャネル１３５を介してＨＲ１１０に提供される１つまたは複数の（例えば、コンテンツ、サービスなどに対する）推奨など、ならびにそれらのさまざまな組合せを選択するために、情報（例えば、ユーザ・プロフィール１３３Ｕからのユーザ・プロフィール情報、対象を絞った通信チャネル１３５を介してＨＲ１１０から受信されたフィードバック情報、音声コンテンツ１３３Ｃ、および／またはサービス論理回路１３３Ｓなどのうちの１つまたは複数）を分析することができる。
【００４４】
音声コンテンツ１３３Ｃは、対象を絞った通信チャネルを介してＨＲ１１０に提供するために利用可能な音声コンテンツ項目を含むことができる。音声コンテンツ１３３Ｃは、任意の適切なタイプの音声コンテンツ項目（例えば、歌、ラジオ・ショーからのクリップ、オーディオ・ブックなど）を含むことができる。ＭＳ１３０は、ＨＲ１１０に提供される音声コンテンツを選択するために音声コンテンツ１３３Ｃを検索するため、ＨＲ１１０のユーザに対する音声コンテンツの推奨を作成するため、および（例えば、ユーザ・プロフィール１３３Ｕからのユーザ・プロフィール情報、対象を絞った通信チャネル１３５を介してＨＲ１１０から受信されたフィードバック情報など、ならびにそれらのさまざまな組合せに基づいて）同様の機能を実行するために構成することができる。主に、ＨＲ１１０に提供するために利用可能な音声コンテンツがＭＳ１３０に音声コンテンツ１３３Ｃとして格納される実施形態に関して、本明細書において描写および記載したが、ＨＲ１１０に提供するために利用可能な音声コンテンツは、その他の適切な装置に格納できることが理解されよう。
【００４５】
サービス論理回路１３３Ｓは、ＨＲ１１０のユーザに１つまたは複数のサービスを提供するために構成される。
【００４６】
サービス論理回路１３３Ｓのサービスは、任意の適切なサービス配信プラットフォームを使用して提供することができる。一実施形態では、例えば、１つまたは複数のサービスは、ＨＲ１１０および関連する対象を絞った通信チャネル１３５を介してＨＲ１１０のユーザに提供することができる。一実施形態では、例えば、１つまたは複数のサービスは、ＨＲ１１０以外の１つまたは複数の他のユーザ装置を介して（例えば、ＨＲ１１０が車両内に実装された車両の１つまたは複数の車両ベースの通信システムを介して、ユーザのスマートフォンを介して、ユーザのコンピュータを介して、など、ならびにそれらのさまざまな組合せを介して）ＨＲ１１０のユーザに提供することができる。その他の適切なサービス配信プラットフォーム、ならびにそのようなサービス配信プラットフォームのさまざまな組合せが、サービスを配信するために使用できることが理解されよう。
【００４７】
サービス論理回路１３３Ｓのサービスは、ユーザ・プロフィール１３３Ｕからのユーザ・プロフィール情報、対象を絞った通信チャネル１３５を介してＨＲ１１０から受信されたフィードバック情報など、ならびにそれらのさまざまな組合せのうちの１つまたは複数に基づいて提供できる、任意のサービスを含むことができる。例えば、サービス論理回路１３３Ｓのサービスは、１つまたは複数の対象を絞ったコンテンツ配信サービス、交通状況警報サービス、１つまたは複数の推奨サービスなど、ならびにそれらのさまざまな組合せを含むことができる。
【００４８】
ユーザ・プロフィール１３３Ｕ、分析論理回路１３３Ａ、音声コンテンツ１３３Ｃ、およびサービス論理回路１３３ＳのそれぞれがＭＳ１３０のメモリ１３２内に格納される実施形態に関して描写および記載したが、そのような情報は、その他の適切な方式で（例えば、ＭＳ１３０内部の任意の適切な数のデータベースを使用して、ＭＳ１３０の外部でＭＳ１３０にアクセス可能な任意の適切な数のデータベースを使用して）、さまざまな対象を絞った通信機能を提供する際に使用するためにそのような情報をＭＳ１３０に提供して利用可能にし、かつ／または、さまざまな対象を絞った通信機能を提供する際に使用するためにそのような情報を処理するように構成された、任意の適切なタイプおよび／または数の他のネットワーク構成要素に格納できることが理解されよう。
【００４９】
本明細書において記載したように、ＭＳ１３０は、ユーザに対象を絞った通信機能を提供するために構成される。ＭＳ１３０は、（例えば、対象を絞った通信チャネル１３５を介してＨＲ１１０から、および／またはその他の適切なソースから）ユーザに関連するフィードバック情報を受信し、（例えば、ＨＲ１１０および／またはユーザに関連するその他の装置に提供される）ユーザ用の対象を絞った通信情報を識別するためにフィードバック情報（および／または他の適切な情報）を処理し、ならびに対象を絞った通信情報をユーザに（例えば、ＨＲ１１０および／またはユーザに関連するその他の装置に）伝播するために構成される。フィードバック情報および対象を絞った通信情報のさまざまな実施形態の説明が続く。
【００５０】
本明細書において記載したように、フィードバック情報はＭＳ１３０に提供され、そこでユーザ・プロフィール１３３Ｃの一部として格納され、ＨＲ１１０に提供される対象を絞った通信情報を判定するために分析論理回路１３３Ａによって分析され、など、ならびにそれらのさまざまな組合せを行うことができる。
【００５１】
フィードバック情報は、そのためにフィードバック情報が使用されることを意図した目的（例えば、そのためにフィードバック情報が使用されることを意図したサービス）に依存する可能性がある、任意の適切なタイプのフィードバック情報を含むことができる。フィードバック情報は、提供されるフィードバック情報のタイプに依存する可能性がある任意の適切な方式で（例えば、手動のユーザ選択に応答して、さまざまな起動条件に基づいて自動的に、など、ならびにそれらのさまざまな組合せで）提供することができる。
【００５２】
一実施形態では、フィードバック情報はＨＲ１１０からＭＳ１３０に提供することができる。
【００５３】
一実施形態では、対象を絞った通信チャネル１３５を介してＨＲ１１０からＭＳ１３０に提供されたフィードバック情報は、ＨＲ１１０を介して再生中の音声コンテンツに対するユーザのフィードバックを含む。ＨＲ１１０を介して再生中の音声コンテンツに対するユーザのフィードバックは、任意の適切な細分性で、かつ任意の適切な方式で提供できる、任意の適切な情報を含むことができる。一実施形態では、例えば、ＨＲ１１０は、ＨＲ１１０を介して再生中の音声コンテンツをユーザが好きか嫌いかに関する指示を提供するために、音声コンテンツの再生中にＨＲ１１０のユーザによって選択できるＬＩＫＥボタンおよびＤＩＳＬＩＫＥボタンを含むことができる。ＨＲ１１０を介して再生中の音声コンテンツに対するユーザのフィードバックは、任意の適切な細分性で、かつ任意の適切な方式で提供できる、その他の適切な情報を含むことができる。本明細書において記載したように、このタイプのフィードバック情報は、ＨＲ１１０を介してユーザに提供されるコンテンツを選択するため、ＨＲ１１０を介してユーザにコンテンツを推奨するため、ＨＲ１１０を介してユーザにサービスを提供および／または推奨するため、など、ならびにそれらのさまざまな組合せを行うために使用することができる。
【００５４】
一実施形態では、対象を絞った通信チャネル１３５を介してＨＲ１１０からＭＳ１３０に提供されたフィードバック情報は、ＨＲ１１０のユーザに関連するユーザのコンテキスト情報を含む。例えば、ユーザのコンテキスト情報は、ユーザの物理的な位置（例えば、自分の車の中、屋内、屋外など）、ユーザの地理的な位置（任意の適切なレベルで、例えば、州、市、正確な位置など）、ユーザの地理的な位置の１つまたは複数の特徴（例えば、暑いまたは寒い、森または砂漠、など）、ユーザの車両の速度（例えば、交通渋滞につかまっている、空いている高速道路上で飛ばしている、など）、（例えば、車両ナビゲーション・システム、ユーザのスマートフォンを介したナビゲーションなどに基づいた）ユーザが従うべき算出された予想ルート上の残り時間の長さ、（例えば、ＨＲ１１０のユーザ・インタフェース１１６の１つまたは複数のユーザ・コントロールを介してユーザによって提供できる）ユーザの気分など、ならびにそれらのさまざまな組合せなどの情報を含むことができる。本明細書において記載したように、このタイプのフィードバック情報は、（ユーザに対象を絞ったコンテキスト・ベースのラジオ・サービスを提供することを含む可能性がある）ＨＲ１１０を介してユーザに提供されるべきコンテンツを選択するため、ＨＲ１１０を介してユーザにコンテンツを推奨するため、ＨＲ１１０を介してユーザにサービスを提供および／または推奨するため、など、ならびにそれらのさまざまな組合せを行うために使用することができる。
【００５５】
一実施形態では、フィードバック情報は、ＨＲ１１０のユーザに関連する１つまたは複数の他の装置から、例えば、ユーザのスマートフォンから、その中にＨＲ１１０が配置された車両の１つまたは複数の車載通信システム（例えば、車載携帯電話機能、ＧＰＳ追跡通信など）から、ユーザのコンピュータから、など、ならびにそれらのさまざまな組合せからＭＳ１３０に提供される。フィードバック情報は、ＨＲ１１０からＭＳ１３０に提供されると記載された任意のタイプのフィードバック情報、および／またはその他の適切なフィードバック情報を含むことができる。
【００５６】
フィードバック情報は、その他の適切なタイプのフィードバック情報を含むことができる。
【００５７】
そのような実施形態では、フィードバック情報は任意の適切な時間に提供することができる。例えば、フィードバック情報は、定期的に、（例えば、提供されるフィードバック情報のタイプに特有の場合がある）さまざまな起動条件に応答して、など、ならびにそれらのさまざまな組合せで提供することができる。
【００５８】
本明細書において記載したように、ＭＳ１３０は、対象を絞った通信チャネル１３５を使用して（例えば、ユーザ・プロフィール情報、対象を絞った通信チャネル１３５を介して受信されたフィードバック情報など、ならびにそれらのさまざまな組合せに基づいて）１つまたは複数のサービスを提供するように構成される。
【００５９】
一実施形態では、サービスは１つまたは複数の対象を絞ったコンテンツ配信サービスを含み、その中で、音声コンテンツは何らかの入力情報に基づいて、ユーザ向けに自動的に選択され、ユーザに配信される。
【００６０】
音声コンテンツは、１つまたは複数のユーザの個人情報（例えば、性別、年齢など）、ユーザの嗜好情報（例えば、好ましいおよび／または好ましくない音声コンテンツのタイプ、音声コンテンツのジャンル、音声コンテンツのチャネル（例えば、ラジオ局、他の音声チャネル・タイプなど）、音声コンテンツの項目など、ならびにそれらのさまざまな組合せ）、ユーザのコンテキスト情報（例えば、物理的な位置、地理的な位置、ユーザの気分など、ならびにそれらのさまざまな組合せ）など、ならびにそれらのさまざまな組合せに基づいて、ユーザ向けに自動的に選択することができる。ユーザ向けに自動的に音声コンテンツを選択する際に使用するための情報は、そのような情報の任意の適切なソースから（例えば、対象を絞った通信チャネル１３５を介して１つまたは複数のユーザ・プロフィール１３３Ｕから、他のネットワーク構成要素から、など、ならびにそれらのさまざまな組合せから）受信することができる。
【００６１】
ユーザ向けに選択される音声コンテンツは、ユーザに関連するユーザ・プロフィール情報に基づいて音声コンテンツを選択するために構成された、任意の適切な照合アルゴリズムを使用して選択することができる。音声コンテンツの選択は、ユーザ向けの音声チャネルの選択（例えば、ラジオ局、音声コンテンツの特定のジャンルを再生する音声チャネルなど）、ユーザ向けのコンテンツ項目の選択（例えば、特定の歌、スキット、オーディオ・ブックなど）、など、ならびにそれらのさまざまな組合せのうちの１つまたは複数を含むことができる。ユーザ向けの音声コンテンツの選択は、さまざまな方法で（例えば、包含／除外されるべき音声コンテンツ、包含／除外されるべき音声コンテンツのジャンル、包含／除外されるべき音声コンテンツのタイプなど、ならびにそれらのさまざまな組合せの指示によって）カスタマイズ可能である。
【００６２】
ユーザ向けに選択された音声コンテンツは、任意の適切な音声コンテンツ配信メカニズムを介して（例えば、放送チャネル１２５を介して、対象を絞った通信チャネル１３５を介して、など）ＨＲ１１０に提供される。
【００６３】
一実施形態では、サービスは、１つまたは複数の対象を絞ったコンテンツ情報配信サービスを含み、その中で、利用可能な音声コンテンツについての情報が、何らかの入力情報に基づいてユーザに配信される。音声コンテンツの嗜好情報（例えば、ユーザ・プロフィール情報、ユーザが好き／嫌いな音声コンテンツ項目に関するユーザのフィードバックなど）がユーザ向けに保持されるそのような一実施形態では、利用可能な音声コンテンツについての情報が、対象を絞った通信チャネル１３５を介してユーザに配信される。例えば、利用可能な音声コンテンツについての情報は、ユーザにとって興味深いコンテンツ（例えば、ユーザの好きな歌、ユーザの好きなジャンルのコンテンツなど）を現在再生している音声チャネルを識別する情報を含むことができる。例えば、ユーザが彼または彼女の区域から離れて移動すると（例えば、国を横断して移動すると）、利用可能な音声コンテンツについての情報は、ユーザが移動する先の区域において、どの音声チャネルがユーザにとって最も興味深そうな音声コンテンツ（例えば、その地域のＦＭチャネル）を通常再生しているかを識別する情報を含むことができる。利用可能な音声コンテンツについての情報はその他の適切な情報を含むことができる。利用可能な音声コンテンツについての情報は、任意の適切なフォーマットで（例えば、利用可能な音声コンテンツについての情報の可用性をユーザに知らせるためにＨＲ１１０を介して提示された警報により、ＨＲ１１０またはユーザが利用可能な音声コンテンツについての情報を確認できるようなその他の関連する表示を介して提示されたポップアップにより、など、ならびにそれらのさまざまな組合せにより）ユーザに示すことができる。
【００６４】
一実施形態では、サービスは交通状況警報サービスを含む。そのような一実施形態では、ユーザは潜在的な交通状況に関するフィードバックをＭＳ１３０に（例えば、自分のＨＲに関連する対象を絞った通信チャネルを介して）提供することができ、ＭＳ１３０はユーザによって知らされた潜在的な交通状況情報の処理に基づいて交通状況を確認し、ＭＳ１３０は、確認された交通状況によって影響を受ける、または受ける可能性があるユーザに警告する。そのような一実施形態では、ＭＳ１３０は、交通状況について警告されたユーザにコンテンツおよび／または推奨を提供する（例えば、対象を絞った通信チャネルおよび／またはその他の適切な通信チャネル（例えば、ユーザのスマートフォン）を介して、無料音声コンテンツ、音声コンテンツの推奨、ユーザが地元の商店を訪ねて交通状況が解消されるまで待つためのインセンティブ（例えば、レストラン、店舗、および他の商店用のクーポン、ディスカウントなど）、など、ならびにそれらのさまざまな組合せのうちの１つまたは複数を提供する）こともできる。
【００６５】
一実施形態では、サービスは１つまたは複数の推奨サービスを含み、それにより、ＭＳ１３０はＨＲ１１０のユーザに対して行うための推奨を識別する。一実施形態では、推奨は、本明細書において記載された他のタイプのサービスとともに提供する、例えば、ＭＳ１３０の制御下で自動的にＨＲ１１０に提供された音声コンテンツと同様のコンテンツを推奨し、（例えば、コンテンツ、商店などを推奨する）交通状況警報サービスとともに推奨を行い、など、ならびにそれらのさまざまな組合せを行うことができる。一実施形態では、推奨は、本明細書において記載された他のタイプのサービスとともにではなく、単独のサービスとして提供することができる。そのような推奨に関連した実施形態のさまざまな組合せを提供することができる。
【００６６】
サービスは、対象を絞った通信チャネル１３５を使用して（例えば、対象を絞った通信チャネル１３５を介して受信されたフィードバック情報と、対象を絞った通信チャネル１３５を介して提供された対象を絞った通信情報との一方または両方を使用して）提供できる、その他のサービスを含むことができる。一実施形態では、ＭＳ１３０は、対象を絞った通信機能とともに１つまたは複数のネットワーク管理機能を提供するために構成することができる。
【００６７】
例えば、ＭＳ１３０がコンテンツの配信および／または推奨のサービスを提供する一実施形態では、ＭＳ１３０（またはその他の適切な装置）は、コンテンツの配信および／または推奨のサービスとともにネットワークのトラフィック管理を提供するために構成することができる。例えば、ＭＳ１３０は、対象を絞った通信チャネル１３５をサポートするネットワークにネットワークのトラフィック管理を提供するように、構成することができる。そのような一実施形態では、例えば、ＨＲ１１０のユーザに提供または推奨されるように選択されるコンテンツは、対象を絞った通信チャネル１３５をサポートするネットワークの少なくとも１つの特性に基づいて選択することができる。そのような一実施形態では、例えば、コンテンツまたはコンテンツの推奨の選択は、高ネットワーク負荷状態の中で、放送コンテンツのユニキャスト・コンテンツに対する比率を増加させる傾向にある方式で実行される可能性がある。例えば、通常の負荷状態の中の放送コンテンツのユニキャスト・コンテンツに対する比率が通常７０％／３０％である場合、コンテンツの選択／推奨処理は、ネットワークの負荷がピークの時間中に放送コンテンツのユニキャスト・コンテンツに対する比率を３０％／７０％に変えるようにする方式で、コンテンツ／コンテンツ推奨を選択するように構成することができる。主に、特定のネットワークの特性および放送コンテンツ／ユニキャスト・コンテンツの比率の使用に関して描写および記載したが、そのようなトラフィック管理は、さまざまな他のネットワークの特性および／または放送コンテンツ／ユニキャスト・コンテンツの比率を使用して、ハイブリッド・ラジオ・システムのコンテキスト内で実行できることが理解されよう。
【００６８】
ＭＳ１３０は、対象を絞った通信機能とともにその他の適切なネットワーク管理機能を提供するように構成することができる。
【００６９】
理解しやすいように省略したが、ＭＳ１３０は、１つまたは複数のプロバイダ（例えば、コンテンツ・プロバイダ、サービス・プロバイダなど、ならびにそのような役割を複数務めるプロバイダ）に機能を提供することができる。ＭＳ１３０が複数のプロバイダによって保持されているか、および／またはアクセス可能なさまざまな実施形態では、ユーザのユーザ嗜好情報は、単一のプロバイダのさまざまなサービス全体にわたって、さまざまなプロバイダ全体にわたって、など、ならびにそれらのさまざまな組合せで使用することができる。
【００７０】
対象を絞った通信機能がＨＲ１１０とＭＳ１３０との間の通信を使用して提供される実施形態に関して描写および記載したが、ＨＲ１１０は、本明細書において描写および記載されたさまざまな対象を絞った通信機能を提供するために、その他の適切なネットワーク構成要素（例えば、対象を絞った通信チャネル１３５を介してＨＲ１１０からフィードバック情報を受信し、受信されたフィードバック情報を格納および／または処理するために構成された他の制御システム、対象を絞った通信チャネル１３５を介して音声コンテンツを提供するために構成された他の音声コンテンツ・ソースなど、ならびにそれらのさまざまな組合せ）と通信できることが理解されよう。この意味で、ＭＳ１３０によって実行されるように本明細書において描写および記載されたさまざまな機能は、（ＭＳ１３０に加えて、および／もしくはその代わりに）１つまたは複数の他のシステム全体にわたって分配することができ、かつ／または、１つもしくは複数の他のシステムを使用して提供することができる。さらに、この方式では、対象を絞った通信チャネル１３５は、ＨＲ１１０と１つまたは複数の他の装置との間でサポートできる複数の通信チャネルを表すものと考えることができる。
【００７１】
図２は、図１のハイブリッド・ラジオ通信システムの中で対象を絞った通信を提供するための方法の一実施形態を描写する。図２に描写されたように、方法２００のステップの一部はＨＲ１１０によって実行され、方法２００のステップの一部はＭＳ１３０によって実行される。したがって、単一の方法として描写されるが、方法２００は、ＨＲ１１０で走る処理およびＭＳ１３０で走る処理として実装することができ、したがって、２つの異なる協働処理として見ることができることが理解されよう。
【００７２】
ステップ２０２で、方法２００が始まる。ステップ２０４で、ＨＲ１１０が対象を絞った通信チャネルを介して、フィードバック情報をＭＳ１３０に送信する。ステップ２０６で、ＭＳ１３０が対象を絞った通信チャネルを介して、フィードバック情報（例えば、ユーザの嗜好情報、ユーザのコンテキスト情報など）をＨＲ１１０から受信する。ステップ２０８で、ＭＳ１３０がフィードバック情報を使用して、対象を絞った通信情報（例えば、コンテンツ、サービス、推奨など）を決定する。ステップ２１０で、ＭＳ１３０が対象を絞った通信チャネルを介して、対象を絞った通信情報をＨＲ１１０に送信する。ステップ２１２で、ＨＲ１１０が対象を絞った通信チャネルを介して、対象を絞った通信情報をＭＳ１３０から受信する。ステップ２１４で、ＨＲ１１０が対象を絞った通信情報を提示する（例えば、音声コンテンツを再生する、サービスに関連する情報を提示する、確認用の推奨を提示する、など）。ステップ２１６で、方法２００が終了する。
【００７３】
主に、対象を絞った通信情報がフィードバック情報に基づいて決定される実施形態に関して描写および記載したが、方法２００は、その他の情報が対象を絞った通信チャネルを介して受信されたフィードバック情報に加えられ得るか、またはその代わりになり得るところの、その他の適切なソースから受信されたその他の適切な情報を使用して対象を絞った通信情報が決定できるようになされてよいことが理解されよう。
【００７４】
主に、対象を絞った通信情報がＭＳ１３０からＨＲ１１０に提供される実施形態に関して描写および記載したが、方法２００は、対象を絞った通信情報が対象を絞った通信情報のその他の適切なソース（例えば、ＨＲ１１０がＭＳ１３０以外のサーバまたは装置と相互作用するところ、ＭＳ１３０が別のサーバまたは装置に対象を絞った通信情報をＨＲ１１０に伝播するよう指示するところ、など、ならびにそれらのさまざまな組合せ）からＨＲ１１０に提供できるようになされてよいことが理解されよう。
【００７５】
本明細書において記載したように、対象を絞った通信機能はさまざまな他の関連機能を含むことができ、それらは、ハイブリッド・ラジオ機能とともに、かつ／またはハイブリッド・ラジオ機能から独立して提供することができる。例えば、対象を絞った通信機能は、コンテキスト・ベースのラジオ機能、リアルタイムの交通状況警報機能、インターネット・ベースのラジオ機能、ビデオ・ベースの対象を絞った通信機能など、ならびにそれらのさまざまな組合せのうちの１つまたは複数を含むことができる。
【００７６】
一実施形態では、コンテキスト・ベースのラジオ機能が提供される。
【００７７】
コンテキスト・ベースのラジオ機能は、図１および図２に関して描写および記載されたハイブリッド・ラジオ機能のコンテキスト内で、またはその他の適切なラジオ環境（例えば、従来のラジオ環境、インターネット・ベースのラジオ環境など、ならびにそれらのさまざまな組合せ）を使用して提供することができる。
【００７８】
コンテキスト・ベースのラジオ機能により、ユーザ向けの没入型のラジオ体験が可能になり、それにより、最適なユーザ体験を創出し、さまざまなブランドが既存および潜在的な顧客とかかわり合うことが可能になり、長続きする関係を確立および維持し、ブランドに対する長続きするイメージを確立および維持する。
【００７９】
コンテキスト・ベースのラジオ機能は、ユーザに関連するユーザのコンテキスト情報に基づいて、ユーザに提供されている音声コンテンツを自動的に調整するように構成される。
【００８０】
本明細書において記載したように、ラジオ（例えば、ＨＲ１１０）によってユーザに提供されている音声コンテンツの調整は、ユーザのコンテキスト情報を処理する管理システム（例えば、ＭＳ１３０）によって実行することができる。
【００８１】
ハイブリッド・ラジオ機能のコンテキスト内で本明細書において記載したように、例えば、ユーザのコンテキスト情報は、ユーザの物理的な位置（例えば、自分の車の中、屋内、屋外など）、ユーザの地理的な位置（任意の適切なレベルで、例えば、州、市、正確な位置など）、ユーザの地理的な位置の１つまたは複数の特徴（例えば、暑いまたは寒い、森または砂漠、など）、ユーザの気分、ユーザの位置での時刻などの情報を含むことができる。
【００８２】
車両内のハイブリッド・ラジオを使用して実装されたハイブリッド・ラジオ機能のコンテキスト内で本明細書において記載したように、例えば、ユーザのコンテキスト情報は、ユーザの車両の速度（例えば、交通渋滞につかまっている、空いている高速道路上で飛ばしている、など）、（例えば、車両ナビゲーション・システム、ユーザのスマートフォンを介したナビゲーションなどに基づいた）ユーザが従うべき算出された予想ルート上の残り時間の長さなど、ならびにそれらのさまざまな組合せなどの情報も含むことができる。
【００８３】
ハイブリッド・ラジオ機能のコンテキスト内で本明細書においてさらに記載したように、ユーザのコンテキスト情報は、そのような情報の任意の適切なソースから管理システムによって取得することができる。例えば、情報の少なくとも一部は、ユーザのネットワーク・ベースのユーザ・プロフィール内に含まれ、対象を絞った通信チャネルを経由してユーザのユーザ装置（例えば、ハイブリッド・ラジオ、ユーザのスマートフォンなど）からリアルタイムのフィードバック情報として受信される場合がある。同様に、例えば、車両のハイブリッド・ラジオの場合、ユーザのコンテキスト情報は、（例えば、車両のＧＰＳシステムからユーザの位置情報を決定する、車両のナビゲーション・システムからルート情報を決定する、車両の速度監視システムから速度情報を決定する、など、ならびにそれらのさまざまな組合せを行う）任意の適切な情報のソースから、対象を絞った通信チャネルを介して伝送するために、ハイブリッド・ラジオによって取得することができる。
【００８４】
一実施形態では、コンテキスト・ベースのラジオ機能は、ユーザのコンテキスト情報に加えて、他のタイプの情報（例えば、ユーザの個人情報、ユーザの嗜好情報、ユーザの音声コンテンツ聴取動作など、ならびにそれらのさまざまな組合せ）に基づいて、ユーザに提供されている音声コンテンツを自動的に調整することができる。
【００８５】
コンテキスト・ベースのラジオ機能の一実施形態では、ユーザは、音声コンテンツのカテゴリに関連する音声チャネルを選択する。カテゴリは、任意の適切な細分性（例えば、音楽対コメディ・スキット、音楽のジャンル、特定のアーティストまたはアーティストのグループの音楽、など）であり得る。次いで、音声チャネルは、選択されたカテゴリの音楽を外観上ランダムな方式で（例えば、次々に１つの音声コンテンツを）ユーザのラジオに提供する。しかしながら、選択された音声チャネルを介して再生される音声コンテンツはランダムではない。むしろ、選択された音声チャネルを介して再生される音声コンテンツは、ユーザのコンテキスト情報（例えば、位置、時刻、気分など）、場合によっては、選択された音声チャネルを介してユーザに再生される音声コンテンツを選択する際に考察できる他のタイプの情報（例えば、性別、年齢など）に基づいている。
【００８６】
例えば、ユーザはカントリ・ミュージック・チャネルを選択することができる。この場合、（ユーザが再生される歌全体に対して制御権をもたない）カントリ・ミュージックを再生する放送チャネルと異なり、カントリ・ミュージック・チャネルを介して再生されるカントリ・ソングは、ユーザのコンテキスト情報に基づいて選択される（例えば、夜中に速い歌を再生してドライブ中のユーザ警報を維持するのを助ける、ユーザが交通渋滞につかまっているときに人気のある歌を再生する、ユーザが彼または彼女の気分が悪いことを示すときに楽しい歌を再生する、など）。
【００８７】
同様に、例えば、ユーザはコメディ・チャネルを選択することができる。この場合もまた、（ユーザが再生されるコンテンツ全体に対して制御権をもたない）コメディ・スキットを再生する放送チャネルと異なり、コメディ・チャネルを介して再生されるコメディ・コンテンツは、ユーザのコンテキスト情報に基づいて選択される（例えば、ユーザのルート情報が彼または彼女が彼または彼女の目的地にほとんど到達していることを示すときは短いスキットを再生する、子供が車内にいることをユーザが示すときは子供に適切なコンテンツを再生する、など）。
【００８８】
この方式では、コンテキスト・ベースのラジオ機能は個性化された没入型のラジオ体験をユーザに提供する。再生されている娯楽報道番組をユーザの現在のコンテキストと照合することにより、固定された歌のリストを再生するにすぎない既存のラジオ・システムと比べて、より没入型で愉快な体験がユーザ向けに創出される。
【００８９】
図３は、図１のハイブリッド・ラジオ通信システムの中でコンテキスト・ベースのラジオ機能を提供するための方法の一実施形態を描写する。図３で描写されたように、方法３００のステップの一部はＨＲ１１０によって実行され、方法３００のステップの一部はＭＳ１３０によって実行される。したがって、単一の方法として描写されるが、方法３００は、ＨＲ１１０で走る処理およびＭＳ１３０で走る処理として実装することができ、したがって、２つの異なる協働処理として見ることができることが理解されよう。
【００９０】
ステップ３０２で、方法３００が始まる。ステップ３０４で、ＨＲ１１０が対象を絞った通信チャネルを介して、ユーザのコンテキスト情報をＭＳ１３０に送信する。ステップ３０６で、ＭＳ１３０が対象を絞った通信チャネルを介して、ユーザのコンテキスト情報（例えば、ユーザの嗜好情報、ユーザのコンテキスト情報など）をＨＲ１１０から受信する。ステップ３０８で、ＭＳ１３０がコンテキスト情報を使用して、ユーザ向けの音声コンテンツを選択する。ステップ３１０で、ＭＳ１３０が対象を絞った通信チャネルを介して、選択された音声コンテンツをＨＲ１１０に送信する。ステップ３１２で、ＨＲ１１０が対象を絞った通信チャネルを介して、音声コンテンツをＭＳ１３０から受信する。ステップ３１４で、ＨＲ１１０が音声コンテンツを提示する。ステップ３１６で、方法３００が終了する。
【００９１】
主に、選択された音声コンテンツがＭＳ１３０からＨＲ１１０に提供される実施形態に関して描写および記載したが、方法３００は、ユーザのコンテキスト情報を使用して選択された音声コンテンツが音声コンテンツのその他の適切なソース（例えば、ＨＲ１１０がＭＳ１３０以外のサーバまたは装置と相互作用するところ、ＭＳ１３０が別のサーバまたは装置に対象を絞った通信情報をＨＲ１１０に伝播するよう指示するところ、など、ならびにそれらのさまざまな組合せ）からＨＲ１１０に提供できるようになされてよいことが理解されよう。
【００９２】
主に、ユーザのコンテキスト情報を使用してコンテキスト・ベースのラジオ機能を提供するコンテキストで本明細書において描写および記載したが、他の実施形態では、ユーザのコンテキスト情報は他のタイプの機能を提供するために使用することができ、他のタイプの機能は他のタイプのコンテンツ分配プラットフォームを介して他のタイプのコンテンツおよび娯楽報道番組を提供することに関与できることが理解されよう。例えば、ユーザのコンテキスト情報は、（例えば、ユーザのスマートフォンから、ハイブリッド・ラジオから、および／またはユーザに関連するその他の適切な装置から、ユーザのコンテキスト情報の少なくとも一部がそれらのコンテンツ配信プラットフォームを介して受信できる、テレビ分配ネットワーク、インターネットなどを介して）、ビデオ・コンテンツ（例えば、ビデオ・オン・デマンド・コンテンツ、インターネット・ベースのビデオ・コンテンツなど）の対象を絞った配信をユーザに提供するために使用することができる。例えば、ユーザのコンテキスト情報は、ビデオ・ベースのコンテンツ（例えば、ビデオ、ビデオを含むマルチメディア・コンテンツなど）の対象を絞った配信をユーザに提供するために使用することができる。例えば、ユーザのコンテキスト情報は、（例えば、スマートフォンから、ハイブリッド・ラジオから、および／またはユーザに関連するその他の適切な装置から、ユーザのコンテキスト情報の少なくとも一部が受信できる、ユーザのスマートフォンを介して）モバイル・アプリケーションの対象を絞った配信をユーザに提供するために使用することができる。例えば、ユーザのコンテキスト情報は、推奨（例えば、コンテンツの推奨、広告など）の対象を絞った配信をユーザに提供するために使用することができる。言い換えれば、ユーザのコンテキスト情報は、任意の適切なコンテンツ分配プラットフォームを介して、任意の適切なコンテンツ・タイプの対象を絞った配信を提供するために使用することができる。
【００９３】
一実施形態では、関連したリアルタイムの交通警報をユーザに提供するために、リアルタイムの交通状況警報の機能またはサービスが提供される。
【００９４】
リアルタイムの交通状況警報機能は、図１および図２に関して描写および記載されたハイブリッド・ラジオ機能のコンテキスト内で、またはその他の適切な通信環境において提供することができる。
【００９５】
一実施形態では、リアルタイムの交通状況警報機能は、任意の適切なユーザ装置（例えば、ユーザのスマートフォン、ユーザの車両ベースの通信システムなど、ならびにそれらのさまざまな組合せ）であり得るユーザ装置を使用するユーザ向けに提供される。
【００９６】
一実施形態では、リアルタイムの交通状況警報機能は、任意の適切な方式で実装できる交通状況追跡システムを使用して提供される。一実施形態では、例えば、交通状況追跡システムは、（例えば、対象を絞った通信チャネル１３５を介して交通状況追跡システムとユーザ装置との間で交換されるリアルタイムの交通状況警報機能用の情報をもつ）、図１に関して描写および記載されたＭＳ１３０の一部として、またはそれと同様の方式で実装される。交通状況追跡システムはその他の適切な方式で実装することができる。
【００９７】
一実施形態では、関連したリアルタイムの交通警報は、特定の位置で交通状況を検出し、検出された交通状況がユーザに影響を与えるかまたはその可能性があるとリアルタイムの交通警報をユーザに知らせるために、ユーザの位置を追跡しユーザからの交通情報を処理することによりユーザに提供される。
【００９８】
一般に、交通状況は、ユーザにとって興味深いか、またはその可能性がある任意のタイプの状況（例えば、危険な交通、交通混雑、交通渋滞など）であり得る。
【００９９】
一般に、ユーザまたはユーザの代理人によって提供された交通情報は、特定の位置でのそのような閾値の数の交通情報が特定の位置またはその近くでの実際の交通状況の発生またはありそうな発生を示すような交通状況、または場合によっては潜在的な交通状況の存在を示す報告である。本明細書における交通情報に対する参照は、交通状況または潜在的な交通状況を報告するものと考察することもできることが理解されよう。
【０１００】
交通状況の検出は任意の適切な方式で判定することができる。
【０１０１】
一実施形態では、特定の位置での交通状況の検出は、閾値の数のユーザが特定の位置またはその近くでの交通状況を報告する交通情報を提供することの判定に応答してなされる。
【０１０２】
そのような実施形態では、交通情報は任意の適切な方式で提供することができる。
【０１０３】
一実施形態では、交通状況を報告すること（すなわち、交通情報を提供すること）は、交通状況を確認する徴候を提供することを含むことができる。
【０１０４】
一実施形態では、ユーザまたはユーザの代理人によって提供された交通情報は、交通状況を確認する徴候を提供したときのユーザの位置を識別する情報を含まない。これはユーザの位置が監視されているところで使用することができ、その結果、交通状況を報告するとともにユーザの位置を報告することは余分である。
【０１０５】
一実施形態では、ユーザまたはユーザの代理人によって提供された交通情報は、交通状況を確認する徴候を提供するときのユーザの位置を識別する情報も含む。これも、ユーザの位置が監視されているところで使用することができる。この実施形態は、交通状況の徴候がユーザまたはユーザの代理人によって起動された瞬間またはその近くにユーザの位置を捕捉することにより、より正確な交通状況の位置の報告を保証することができる。
【０１０６】
一実施形態では、ユーザまたはユーザの代理人によって提供された交通情報は、報告された交通状況に関連する可能性がある別の情報を含むことができる。例えば、そのような別の情報には、１つまたは複数のタイプの交通状況（例えば、交通混雑、危険な道路状況、事故、迂回路など）、交通状況の結果として体験した平均速度、交通状況に起因する予想遅延時間など、ならびにそれらのさまざまな組合せが含まれ得る。
【０１０７】
交通状況の報告は任意の適切な方式で実行することができる。
【０１０８】
一実施形態では、例えば、ユーザのスマートフォンを、交通状況を報告する交通情報を提供するように構成することができる。
【０１０９】
一実施形態では、例えば、スマートフォンで利用可能なモバイル・アプリケーションは、交通状況を確認する徴候を提供するように構成することができ、スマートフォンのＧＰＳ機能は、交通状況を確認する徴候を提供するときのユーザの位置を提供するために使用することができる。
【０１１０】
一実施形態では、モバイル・アプリケーションは、（例えば、ユーザが運転を始める前に、ユーザが交通状況に遭遇しそれを報告したいときに、またはその他の適切なときに）ユーザにより手動で起動することができる。一実施形態では、モバイル・アプリケーションは、（例えば、スマートフォンのＧＰＳ部が車両の著しい減速を検出したときに、車両のＧＰＳ装置が車両の著しい減速をユーザのスマートフォンに報告したときに、車両の速度監視システムが車両の著しい減速をユーザのスマートフォンに報告したときなどに）自動的に起動することができる。
【０１１１】
一実施形態では、モバイル・アプリケーションの１つまたは複数の機能は、手動および／または自動で起動することができる。一実施形態では、例えば、手動および／または自動の起動条件に応答して、ＲＥＰＯＲＴ  ＴＲＡＦＦＩＣ  ＪＡＭボタンをスマートフォンに表示することができる。一実施形態では、例えば、手動および／または自動の起動条件に応答して、スマートフォンの音声認識機能を起動することができる。本明細書において記載したように、そのような実施形態では、起動条件は、ユーザによる１つまたは複数のメニュー選択、スマートフォンによる（例えば、直接または車両のシステムからの報告による）車両の著しい減速の検出など、ならびにそれらのさまざまな組合せであり得る。
【０１１２】
一実施形態では、モバイル・アプリケーションを介した交通状況の徴候の報告は、ユーザにより手動で開始することができる。ユーザが交通状況を報告するためにスマートフォンで可能になった報告機能のタイプに依存する可能性がある任意の適切な方式で、ユーザはモバイル・アプリケーションを介して、交通状況の徴候の報告を開始することができる。例えば、ユーザは、スマートフォンを介してモバイル・アプリケーションにより表示されたＲＥＰＯＲＴ  ＴＲＡＦＦＩＣ  ＪＡＭボタンまたは他の同様のユーザ・コントロールを選択することにより、交通状況の徴候の報告を起動する１つまたは複数のキーワードを話す（例えば、ドライバが「交通渋滞」またはその他の適切な単語またはフレーズを述べる）ことなどにより、モバイル・アプリケーションを介して、交通状況の徴候の報告を開始することができる。
【０１１３】
一実施形態では、モバイル・アプリケーションを介した交通状況の徴候の報告は、モバイル・アプリケーションにより自動的に開始することができる。モバイル・アプリケーションは、交通状況を報告するためにスマートフォンで可能になった報告機能のタイプに依存する可能性がある任意の適切な方式で、交通状況の徴候の報告を開始することができる。例えば、モバイル・アプリケーションは、スマートフォンによる（例えば、直接または車両のシステムからの報告による）車両の著しい減速の検出に応答して、ユーザがある特定の長さの時間内に閾値の距離より少なく移動したことのスマートフォンによる判定に応答して、などで自動的に交通状況の徴候の報告を開始することができる。
【０１１４】
交通状況を報告するためのユーザのスマートフォンの使用は、その他の適切な方式で実装することができる。
【０１１５】
一実施形態では、例えば、ユーザの車両の向上した、および／または新しい機能は、交通状況を報告するために使用することができる。交通状況を報告するためにユーザのスマートフォンを使用する場合のように、車両の機能を使用して交通状況を報告することは、任意の適切な方式で（例えば、手動または自動の開始により、任意の適切な起動条件に応答して、など、ならびにそれらのさまざまな組合せで）実装できることが理解されよう。
【０１１６】
一実施形態では、例えば、ユーザの車両の向上した、および／または新しい機能は、交通状況を確認する徴候を提供するために使用することができ、車両のＧＰＳ機能は、交通状況を確認する徴候を提供するときにユーザの位置を提供するために使用することができる。
【０１１７】
一実施形態では、例えば、システムまたは車両のプロセッサ内で利用可能なプログラムは、交通状況を確認する徴候を提供するように構成することができ、車両のＧＰＳ機能は、交通状況を確認する徴候を提供するときにユーザの位置を提供するために使用することができる。
【０１１８】
一実施形態では、交通状況を報告するために使用される車両のプログラムは、（例えば、ユーザが運転を始める前に、ユーザが交通状況に遭遇しそれを報告したいときに、またはその他の適切なときに）ユーザにより手動で起動することができる。一実施形態では、交通状況を報告するために使用される車両のプログラムは、（例えば、車両のＧＰＳ装置が車両の著しい減速を検出したときに、ユーザのスマートフォンのＧＰＳ部が車両の著しい減速を車両に報告したときなどに）自動的に起動することができる。
【０１１９】
一実施形態では、交通状況を報告するために使用される車両のプログラムの１つまたは複数の機能は、手動および／または自動で起動することができる。一実施形態では、例えば、手動および／または自動の起動条件に応答して、ＲＥＰＯＲＴ  ＴＲＡＦＦＩＣ  ＪＡＭボタンを車両のディスプレイ画面（例えば、ラジオ・ディスプレイ、ナビゲーション・ディスプレイなど）に表示することができる。一実施形態では、例えば、手動および／または自動の起動条件に応答して、車両の音声認識機能を起動することができる。本明細書において記載したように、そのような実施形態では、起動条件は、ユーザによる１つまたは複数のメニュー選択、車両による（例えば、車両のＧＰＳ機能による、またはユーザのスマートフォンからの報告による）車両の著しい減速の検出など、ならびにそれらのさまざまな組合せであり得る。
【０１２０】
一実施形態では、車両を介した交通状況の確認報告は、ユーザにより手動で開始することができる。ユーザは、交通状況の報告を処理するために車両内で利用可能な報告機能のタイプに依存する可能性がある任意の適切な方式で、車両を介した交通状況の確認報告を開始することができる。一実施形態では、例えば、ボタンまたは他の適切なユーザ・コントロールは、交通状況の確認を報告するためにユーザによって起動することができる。一実施形態では、例えば、車両のラジオに関連するユーザ・コントロールの選択（例えば、ラジオで利用可能な新しいボタンの選択、ラジオのディスプレイ上に表示されるタッチ・スクリーン・コントロールの選択、など）により、交通状況の確認報告を開始することができる。一実施形態では、例えば、車両のナビゲーション・システムに関連するユーザ・コントロールの選択（例えば、ナビゲーション・インタフェースで利用可能な新しいボタンの選択、ナビゲーション・システムに関連するディスプレイ上に表示されるタッチ・スクリーン・コントロールの選択、など）により、交通状況の確認報告を開始することができる。一実施形態では、例えば、（他のドライバに交通渋滞および他の状況を警告するために多くの国のドライバによりしばしば使用される）車両のハザードランプの点灯により、交通状況の確認報告を開始することができる。一実施形態では、例えば、（他のドライバに交通渋滞および他の状況を警告するために多くの国のドライバによりしばしば使用される）ヘッドライトのすばやい連続点滅により、交通状況の確認報告を開始することができる。一実施形態では、車両は、交通状況の確認報告を開始する際に使用するために構成された新しいＴＲＡＦＦＩＣ  ＪＡＭ報告ボタンを備えることができる。ユーザの車両のさまざまな他の向上した、および／または新しい機能が、交通状況を報告するために使用できることが理解されよう。
【０１２１】
一実施形態では、車両を介した交通状況の確認報告は、車両により自動的に開始することができる。車両は、交通状況を報告するために車両内で可能になった報告機能のタイプに依存する可能性がある任意の適切な方式で、交通状況の確認報告を開始することができる。例えば、車両は、スマートフォンによる（例えば、直接または車両のシステムからの報告による）車両の著しい減速の検出に応答して、ユーザがある特定の長さの時間内に閾値の距離より少なく移動したことのスマートフォンによる判定に応答して、などで自動的に交通状況の確認報告を開始することができる。
【０１２２】
そのような実施形態では、交通状況を確認する徴候および交通状況を確認する徴候の開始時のユーザの関連する位置は、任意の適切な方式で（例えば、任意の適切な通信インタフェース、報告される情報用の任意の適切なフォーマッティング、など、ならびにそれらのさまざまな組合せを使用して）、ネットワークに通信することができる。一実施形態では、例えば、交通状況を確認する徴候および交通状況を確認する徴候の開始時のユーザの関連する位置は、スマートフォンの無線通信機能を介して（例えば、セルラ・ネットワークを介して、ＷｉＦｉネットワークを介して、などで）ネットワークに通信することができる。一実施形態では、例えば、交通状況を確認する徴候および交通状況を確認する徴候の開始時のユーザの関連する位置は、ユーザの車両に内蔵された無線通信機能を介してネットワークに通信することができる。
【０１２３】
交通状況の報告はその他の適切な方式で実行することができる。
【０１２４】
交通状況がユーザおよび／またはユーザの代理人によって報告されると、交通状況追跡システムは、特定の場所での交通状況を検出し、ユーザに影響を与える、または与える可能性がある交通状況を検出するとリアルタイムの交通警報をユーザに知らせるために、ユーザの位置を追跡し、ユーザによって提供された交通情報を処理する。
【０１２５】
ユーザによって提供された交通情報（すなわち、ユーザによって報告された交通状況および潜在的な交通状況）に基づく特定の場所での交通状況の検出は、任意の適切な方式で実行することができる。一実施形態では、閾値の数のユーザが特定の場所で交通状況を知らせると、交通状況はその特定の場所で検出される。そのような実施形態では、異なる場所がそれに関連する異なる閾値を有することができる（例えば、異なる場所は異なる交通量に関連することができ、したがって、１つの場所で報告された交通状況の特定の数は交通渋滞を示す場合があるが、別の場所で報告された交通状況の同じ数は交通渋滞を示さない場合がある）。
【０１２６】
ユーザの位置は任意の適切な方式で追跡することができる。例えば、スマートフォンのモバイル・アプリケーションを使用する交通状況警報機能が実装された一実施形態では、モバイル・アプリケーションは、スマートフォンで利用可能なＧＰＳ情報に基づいて定期的にユーザの位置を報告することができる。例えば、ユーザの車両内で走るプログラムまたはアプリケーションを使用する交通状況警報機能が実装された一実施形態では、車両のプログラムまたはアプリケーションは、車両で利用可能なＧＰＳ情報に基づいて定期的にユーザの位置を報告することができる（例えば、車両の通信システムを介して報告する、その後位置を報告することができるユーザのスマートフォンに位置を通信することによって報告する、など）。
【０１２７】
一実施形態では、ユーザに影響を与えるか、または与える可能性がある交通状況を検出するとユーザにリアルタイムの交通警報を警告するために、ユーザの位置に加えて別の関連する情報を交通状況追跡システムに提供することができる。例えば、別の情報には、移動方向、予想されるユーザがたどるべき（例えば、ユーザがたどるべきルートをマップしたスマートフォンのナビゲーション機能および／または車両のナビゲーション・システムからの指示情報に基づいた）特定のルートを示す情報など、ならびにそれらのさまざまな組合せが含まれ得る。
【０１２８】
現在のユーザの位置を示す情報、（および場合によっては、移動方向、予想ルートなどの移動に関連する別の情報）、および検出された交通状況を確認する情報を有する交通状況追跡システムは、いつ交通状況がユーザに影響を与えるか、または与える可能性があるかをリアルタイムで判定することができ、したがって、それらのユーザに影響を与えるか、または与える可能性がある交通状況を検出すると、それらのユーザにリアルタイムの交通警報を知らせることができる。交通状況追跡システムは、任意の適切な方式で、交通状況によって影響を受けるか、または受けそうなユーザを識別することができる。一実施形態では、例えば、交通状況からある特定の距離内にいると識別された任意のユーザは、交通状況を知らされる。一実施形態では、例えば、交通状況に遭遇する特定の道路にいると識別された任意のユーザは、交通状況を知らされる。一実施形態では、交通状況に遭遇する特定の道路または特定の道路に近い任意の道路にいると識別された任意のユーザは、交通状況を知らされる。その他の適切なタイプの情報、ならびにそのようなタイプの情報の組合せは、交通状況によって影響を受けるか、または受けそうなユーザを識別するために使用できることが理解されよう。
【０１２９】
現在のユーザの位置を示す情報、（および場合によっては、移動方向、予想ルートなどの移動に関連する別の情報）、および検出された交通状況を確認する情報を有する交通状況追跡システムは、他のタイプの処理も実行することができる。
【０１３０】
一実施形態では、例えば、交通状況追跡システムは、検出された交通状況を現在の道路地図と相互に関連付けることができ、その結果ユーザに提供されたリアルタイムの交通警報は、交通状況の場所の指標および潜在的な代替ルートを含むことができる。
【０１３１】
一実施形態では、例えば、交通状況追跡システムは、検出された交通状況を交通状況の履歴情報と相互に関連付けることができ、それはさまざまな目的で使用することができる。一実施形態では、例えば、このタイプのマッピングは、ユーザに提供されたリアルタイムの交通警報が、その場所でどの交通状況が通常であるかについての指標（例えば、その交差点は現在の時刻には通常混雑している、その高速道路はその曜日には通常混雑している、など）を含むことができるように、実行することができる。一実施形態では、例えば、このタイプのマッピングは、警察、救急車、消防車、および／または他のタイプの対応者を必要とする可能性がある（例えば、履歴データが交通状況はその時刻にその場所では通常でないことを示す）異常な交通状況を、交通状況追跡システムが適切な権威に警告することができるように実行することができる。
【０１３２】
交通状況追跡システムは、そのような情報を使用して他のタイプの処理を実行することができる。交通状況追跡システムは、任意の適切な方式でリアルタイムの交通警報をユーザに知らせることができる。
【０１３３】
リアルタイムの交通警報は、リアルタイムの交通警報をユーザに提示するために、（交通状況を報告するためにユーザによって使用される装置であってもなくてもよい）任意の適切な装置に提供することができる。例えば、交通状況警報機能がスマートフォンのモバイル・アプリケーションを使用して実装された一実施形態では、リアルタイムの交通警報はモバイル・アプリケーションに提供することができる。例えば、交通状況警報機能がユーザの車両内で走るプログラムまたはアプリケーションを使用して実装された一実施形態では、リアルタイムの交通警報は車両上のプログラムまたはアプリケーションに提供することができる。一実施形態では、例えば、リアルタイムの交通警報は、交通状況がユーザによって報告される方式とは無関係に（例えば、ユーザの携帯電話を介して、ユーザのスマートフォンを介して、車両のシステムを介して、（例えば、車両内蔵型または携帯型の）ナビゲーション・システムを介して、など、ならびにそれらのさまざまな組合せで）、ユーザの任意の適切な装置に提供することができる。
【０１３４】
リアルタイムの交通警報は任意の適切な情報を含むことができる。例えば、リアルタイムの交通警報は、交通状況の場所、交通状況に起因する予想遅延、交通状況の原因、交通状況を回避するために提案された代替ルートなど、ならびにそれらのさまざまな組合せを識別する情報を含むことができる。
【０１３５】
リアルタイムの交通警報は、任意の適切なフォーマットで提示できるように、任意の適切なフォーマットで提供することができる。例えば、リアルタイムの交通警報は、テキスト、音声、ビデオ、およびリアルタイムの交通警報を提供する際に使用するのに適切な同様のコンテンツ・タイプのうちの１つまたは複数を使用して提供することができる。
【０１３６】
ユーザに影響を与えるか、または与える可能性がある交通状況が検出されるとユーザに知らせるために、交通状況追跡システムによって提供されたリアルタイムの交通警報は、リアルタイムの交通警報が提供される装置に依存する可能性がある任意の適切な方式で、ユーザに提示することができる。
【０１３７】
上記に示したように、リアルタイムの交通警報はユーザの任意の適切な装置に提供することができ、したがって、ユーザの任意の適切な装置を介して提示することができる。
【０１３８】
同様に、上述したように、リアルタイムの交通警報は、任意の適切なフォーマットで（例えば、テキスト、音声、ビデオ、リアルタイムの交通警報の提示に使用するのに適切な同様のコンテンツ・タイプを介して）、提示することができる。例えば、リアルタイムの交通警報は、（事前録音された）人間の声によって話されるメッセージであり得る。例えば、リアルタイムの交通警報は、交通状況についての情報を説明する人を見せるビデオであり得る。そのようなメッセージの使用はユーザの注意を引き、それにより、リアルタイムの交通警報に「無関心」になり、（したがって、場合によりリアルタイムの交通警報を無視する）ことからユーザを回避させる。
【０１３９】
ユーザに影響を与えるか、または与える可能性がある交通状況が検出されたときのリアルタイムの交通警報のユーザへの通知は、その他の適切な方式で実行することができる。
【０１４０】
一実施形態では、関連するリアルタイムの交通警報をユーザに提供するとともに、ユーザは、関連する対象を絞った通信情報（例えば、コンテンツ、サービス、コンテンツおよび／またはサービスに対する推奨など、ならびにそれらのさまざまな組合せ）も提供され得る。
【０１４１】
一実施形態では、関連するリアルタイムの交通警報をユーザに提供するとともに、ユーザは、交通状況からもたらされると予想される遅延中のユーザ向けのアクティビティに対する推奨を提供され得る。アクティビティに対する推奨は、ユーザに提示することができ、かつユーザが確認し、交通状況からもたらされると予想される遅延中に行動することができる、任意の適切な推奨であり得る。一実施形態では、例えば、推奨は、予想される遅延中に時間をつぶすためのコンテンツを買うユーザ向けの推奨（例えば、歌、アルバム、テレビ番組、映画、映画の予告編、モバイル・アプリケーションなどの推奨）であり得る。例えば、ユーザは、「あなたは２０分間と予想される交通渋滞に巻き込まれているので、本の第１章でも聴きましょう」などのメッセージを受信することができ、そのメッセージは、交通状況によって遅延させられている間の暇つぶし用にユーザが推奨された本またはその他の利用可能な音声コンテンツを、それを介して買うことができる音声コンテンツ・ストアへのリンクも含む。これは、ユーザに提示することができるメッセージのタイプ、およびユーザに推奨することができる関連するコンテンツのタイプの一例にすぎないことが理解されよう。
【０１４２】
一実施形態では、例えば、推奨は、交通状況が解消されるのを待つ間に近くのレストランに立ち寄って食事を取るユーザ向けの推奨であり得る。例えば、ユーザは、「ここに、道路を少し行ったところにあるあなたの好きなバーガー・レストランの１０％ディスカウントのクーポンがあり、待っている間にあなたは何らかのランチを食べることもできます」などのメッセージを受信することができる。次いで、ユーザは、１０％ディスカウントのクーポンをバーガー・レストランに持って行き、交通状況が解消されるのを待つ間、くつろいで食事をすることができる。これは、ユーザに提示することができるメッセージのタイプ、ならびにユーザに提示することができる関連する商売（および提案）の一例にすぎないことが理解されよう。
【０１４３】
推奨は、予想される遅延中にユーザを夢中にさせる可能性がある、かつ場合によっては、１つまたは複数の関連団体（例えば、コンテンツ・プロバイダ、近くの商店、広告主など）のために収益を生み出すか、または少なくとも生み出しそうか、または生み出そうと試みるアクティビティに対するその他の適切なタイプの推奨であり得る。
【０１４４】
一実施形態では、ユーザ向けに選択される推奨は、予想される遅延の長さに基づいて選択することができる。例えば、予想される遅延の長さは、同様の継続時間を有するコンテンツ項目を選択するために使用することができる（例えば、同様の継続時間を有するオーディオ・ブックの第１章の選択、ユーザがビデオを視るのは安全であると判定されたときの同様の継続時間を有するテレビ番組の選択、など）。例えば、予想される遅延の長さは、ユーザに推奨されるべきアクティビティを選択するために使用することができる（例えば、遅延が比較的短いと予想されるときのファーストフード・レストランへの立ち寄りの推奨、遅延が比較的長いと予想されるときのショッピング・モールへの立ち寄りの推奨、など）。この方式では、対象を絞った広告は予想される遅延の長さに基づいて対象を絞ることができる。
【０１４５】
そのような実施形態では、推奨は任意の適切な方式でユーザに提供することができる。例えば、推奨は、ユーザに提供されるリアルタイムの交通警報の一部として、ユーザに提供されるリアルタイムの交通警報とは別個に、など、ならびにそれらのさまざまな組合せでユーザに提供することができる。
【０１４６】
交通状況報告機能は、通常の交通状況報告全体にわたってかなりの改良を提供する。例えば、ラジオ局は、ラジオ放送を使用して、ラジオ局の大きな放送範囲に起因して、関連性が限定されている交通状況情報を報告する（すなわち、列挙された交通渋滞の多くはユーザに無関係であり、その結果、実際には関係する可能性がある交通状況についての情報をユーザが聞き逃す）。同様に、例えば、処理遅延に起因して、ラジオ局は、すでに存在しない交通渋滞を報告し続ける場合があり、かつ／または、交通渋滞のリストがラジオで読まれるために準備されたときに存在していなかったために、新しい交通渋滞が報告されない場合がある。通常の交通状況報告体制のこれらおよびさまざまな他の欠陥は、交通状況報告機能の使用によって克服される。交通状況報告機能は、交通状況についてのより正確で関連する情報をドライバに提供し、交通状況についてドライバに警告することにより安全状況を向上させ（例えば、警告は交通渋滞に近づくときに必要な急激な減速から生じる可能性がある衝突を回避する）、よりよい交通状況報告サービス、および、したがってよりよいブランド認知をラジオ局に提供し、さまざまな商売人にさまざまな商売機会を提供し（例えば、コンテンツ・オーナおよび／または近くの商店に別の顧客または少なくとも潜在的な顧客へのアクセスを提供する、広告主にさまざまな対象を絞った広告機会を提供する、など）、ならびに、さまざまな他の利益を提供することができる。
【０１４７】
図４は、リアルタイムの交通状況警報機能を提供するための方法の一実施形態を描写する。図４の方法４００は、交通状況追跡システムまたはその他の適切な装置によって実行することができる。
【０１４８】
ステップ４０２で、方法４００が始まる。ステップ４０４で、交通情報が受信される。ステップ４０６で、交通情報に基づいて交通状況が検出される。ステップ４０８で、検出された交通状況によって影響を受けるか、または影響を受けそうなユーザが識別される。ステップ４１０で、識別されたユーザに交通状況が知らされる。ステップ４１２で、方法４００が終了する。
【０１４９】
（理解しやすいように）終了するものとして描写および記載したが、方法４００は、交通状況を識別するために交通情報を受信し処理するため、ならびに交通状況によって影響を受けるか、または影響を受けそうなユーザを識別し、識別されたユーザに識別された交通状況を警告するために実行され続けることが理解されよう。
【０１５０】
理解しやすいように省略したが、方法４００は、任意の適切な対象を絞った通信情報（例えば、コンテンツ、サービス、推奨など）を、交通状況を知らされた１人または複数のユーザに提供できることが理解されよう。
【０１５１】
本明細書において記載したように、ハイブリッド・ラジオ機能および関連する機能（例えば、コンテキスト・ベースのラジオ機能、リアルタイムの交通状況警報機能など）は、さまざまな組合せで提供することができる。そのような実施形態では、さまざまな機能は、比較的ゆるく統合される（例えば、同じ装置内に実装されているが、同じ制御プログラムを介して制御されていない）か、または比較的きつく統合される（例えば、１つのプログラム、またはそのような機能へのアクセスをユーザに提供するために協働する複数のプログラムを介して制御される）場合がある。また、本明細書において記載したように、さまざまな機能は、さまざまなタイプのユーザ・コントロールを使用して制御することができる。そのような機能がよりきつく統合された（したがって、ユーザ・コントロールがよりきつく統合され得る）少なくともいくつかの実施形態では、さまざまな機能用のユーザ・コントロールは、コンテキストに基づいて自動的に修正することができる。例えば、ユーザ・コントロールの少なくとも一部がタッチ・スクリーンを介して表示される一実施形態では、表示されたユーザ・コントロールの少なくとも一部は、コンテキストに基づいて変更することができる。一例は、本明細書において描写および記載されたさまざまな機能をサポートするハイブリッド・ラジオをもつ車をユーザが運転している場面であり得る。この例では、普通に運転している間は、タッチ・スクリーン・アイコンは、局の間を切り換えるためのＺＡＰアイコン（ならびに、場合によっては、現在再生中のコンテンツに対するフィードバックを提供するためのＬＩＫＥアイコンおよび／またはＤＩＳＬＩＫＥアイコン）を含む。この例では、起こり得る交通渋滞が検出されると、ユーザが交通渋滞を報告することを可能にするために、ＺＡＰアイコンは自動的にＲＥＰＯＲＴ  ＴＲＡＦＦＩＣ  ＪＡＭアイコンに変わる。この例では、ユーザがＲＥＰＯＲＴ  ＴＲＡＦＦＩＣ  ＪＡＭボタンを選択した後、ＲＥＰＯＲＴ  ＴＲＡＦＦＩＣ  ＪＡＭアイコンは、再びＺＡＰアイコン（および、場合によっては他のアイコン）に置き換わる。この例では、電話の着信を受信すると、ユーザが着信を受けるかまたは拒否することを可能にするために、ＺＡＰアイコンは自動的にＡＣＣＥＰＴ  ＣＡＬＬアイコンおよびＲＥＪＥＣＴ  ＣＡＬＬアイコンに変わる。この例では、推奨を受信すると、ユーザが推奨されたコンテンツに切り換えることを可能にするために、ＺＡＰアイコンは自動的にＳＷＩＴＣＨアイコンに変わる。この例では、広告を受信すると、ユーザが広告されたコンテンツを買うことを可能にするために、ＺＡＰアイコンは自動的にＰＵＲＣＨＡＳＥアイコンに変わる。一実施形態では、ユーザ・コントロールの変化は音声警報を伴うことができる。主に、ある特定のアイコンの他のアイコンとの置き換えに関して描写および記載したが、同様の機能を提供するために、その他の適切なアイコン管理の仕組みが使用できる（例えば、アイコンが既存のアイコンを置き換えるよりむしろ既存のアイコンに加えて表示される、表示されたアイコンが現在のコンテキストに基づいてもはや適用できない場合削除または隠蔽される、など）ことが理��されよう。そのような仕組みのさまざまな組合せが使用できることが理解されよう。
【０１５２】
一実施形態では、インターネット・ベースのラジオ機能が提供される。
【０１５３】
一実施形態では、インターネット・ベースのラジオ機能は、図１および図２に関して描写および記載されたハイブリッド・ラジオ機能から独立して提供することができる。
【０１５４】
一実施形態では、インターネット・ベースのラジオ機能は、図１および図２に関して描写および記載されたハイブリッド・ラジオ機能とともに提供することができる。
【０１５５】
インターネット・ベースのラジオ機能は、簡潔でユーザ・フレンドリな方式で、従来のラジオ体験をインターネットの特徴と結合し、それにより、死にかけている通信媒体であるラジオ（例えば、最近はより若い世代がラジオを聴く習慣がなく、既存のラジオが広く普及して均一で個性化されていない体験を提供するので、既存のラジオは視聴者が減っている）を再び活気づけるようなされる。
【０１５６】
インターネット・ベースのラジオ機能により、ラジオ通信をユーザ情報（例えば、ユーザの習慣、ユーザの嗜好など、ならびにそれらのさまざまな組合せ）と融合することが可能になる。
【０１５７】
インターネット・ベースのラジオ機能により、個性化された双方向の対象を絞った方式で、顧客との相互作用および顧客との通信を開始することが可能になり、それにより、適切な場所および時刻に最適のユーザ体験を創出して、さまざまなブランドが既存および潜在的な顧客とかかわり合い、長続きする関係を確立および維持することが可能になる。
【０１５８】
インターネット・ベースのラジオ機能は、ユーザがラジオ・コンテンツを使用するすべてのユーザ装置および状況にわたって一貫した、均等で、上品で、簡潔で、目立たないユーザ体験を提供し、それにより、さまざまなブランドが自社のメッセージを伝え、自社のイメージを構築することを可能にするための理想的なチャネルを創出する。
【０１５９】
インターネット・ベースのラジオ機能は、任意の適切なコンピュータ装置（例えば、デスクトップ・コンピュータ、ラップトップ・コンピュータ、ノートブック、サブノートブック、スマートフォン、携帯電話、または、インターネット・ベースのラジオ機能をサポートでき、かつ／もしくはインターネット・ベースのラジオ機能にアクセスできるその他の適切な装置）によってサポートし、かつ／またはアクセスすることができる。
【０１６０】
したがって、インターネット・ベースのラジオ機能は、ユーザが楽しみ、コンテンツ・プロバイダ（例えば、ラジオのオペレータ）が採用を望み、高級ブランドが活用を望む、ユニークで、魅力があり、一貫した、新しい種類のラジオ体験を創出する。
【０１６１】
一実施形態では、ユーザが音声チャネルおよび他の音声コンテンツを検索し、特定し、要求することを可能にするための音声コンテンツ・ウェブサイトが提供される。
【０１６２】
一実施形態では、音声コンテンツ・ウェブサイトは、視聴者を引き付け維持するための方式で（例えば、ウェブサイトを理解しやすくて使いやすくすること、ユーザの気を散らすような要素（例えば、視聴者をウェブサイトに引き付けることである、ウェブサイトの主要な目的から気を散らす、広告、バナー、および同様の要素）を省略することにより）設計される。この方式では、音声コンテンツ・ウェブサイトは、ユーザをウェブサイトに引き付けるために多くのユーザに自然な魅力を提供するため、およびウェブサイトを使用するユーザに魅力があるユーザ体験を提供するために構成される。
【０１６３】
音声コンテンツ・ウェブサイトのインタフェース・ページ用の例示的なデザインが図５に描写される。このデザインは例示的であるにすぎず、その他の適切なデザインが使用できることが理解されよう。
【０１６４】
図５は、インターネット・ベースのラジオ機能用の例示的な音声コンテンツ・ウェブサイトのインタフェース・ページを描写する。
【０１６５】
例示的な音声コンテンツ・ウェブサイトのインタフェース・ページ５００は、ネットワーク内の１つまたは複数のサーバ上にホスティングされた、関連する音声コンテンツ・ウェブサイトのメインページである。
【０１６６】
図５に描写されたように、例示的な音声コンテンツ・ウェブサイトのインタフェース・ページ５００は、ウェブサイト名５０１、検索バー５０２、検索バー５０２と関連する一対の制御ボタン５０３１および５０３２（一括して、制御ボタン５０３）、ならびに３つのチャネル・ブックマーク・アイコン５０４１〜５０４３（一括して、チャネル・ブックマーク・アイコン５０４）を含む。
【０１６７】
例示的な音声コンテンツ・ウェブサイトのインタフェース・ページ５００のウェブサイト名５０１はｓｉｍｐｌｙＲａｄｉｏＦＭであるが、任意の適切な名前が使用できることが理解されよう。同様に、名前は、例示的な音声コンテンツ・ウェブサイトのインタフェース・ページ５００上の任意の適切な位置に配置できることが理解されよう。
【０１６８】
例示的な音声コンテンツ・ウェブサイトのインタフェース・ページ５００の検索バー５０２および関連する制御ボタン５０３により、ラジオ局の検索、音声コンテンツ・チャネルの検索、（例えば個人的なユーザ情報、ユーザの嗜好情報、ユーザのコンテキスト情報など、ならびにそれらのさまざまな組合せに基づいて）ユーザ用に選択された音声コンテンツの要求などの動作、および同様の動作、ならびにそれらのさまざまな組合せを、ユーザが実行することが可能になる。
【０１６９】
例示的な音声コンテンツ・ウェブサイトのインタフェース・ページ５００の例示的な制御ボタン５０３１は、ＦＩＮＤ  ＳＴＡＴＩＯＮボタンである。一実施形態では、検索用語（例えば、音声コンテンツのタイプ、音楽のジャンル、アーティストなど）を検索バー５０２に入力し、制御ボタン５０３１を選択すると、検索用語によって示されたコンテンツを再生している、かつ／または再生しそうな局を見つける要求がサーバに対して起こされる。
【０１７０】
例示的な音声コンテンツ・ウェブサイトのインタフェース・ページ５００の例示的な制御ボタン５０３２は、ＨＩＴ  ＭＥボタンである。一実施形態では、検索用語（例えば、音声コンテンツのタイプ、音楽のジャンル、アーティストなど）を検索バー５０２に入力し、制御ボタン５０３２を選択すると、検索用語に関連する任意の検索結果（例えば、検索用語によって示されたコンテンツを再生している、かつ／または再生しそうなラジオ局、関連するコンテンツが利用できるか、または利用できそうな音声チャネル、ユーザによる選択用に利用可能な特定のコンテンツ項目など、ならびにそれらのさまざまな組合せ）を見つける要求がサーバに対して起こされる。
【０１７１】
主に、特定の名前、サイズ、形状、機能、および、それに関連する他の特性を有する、特定のタイプおよび数の制御ボタン５０３に関して描写および記載したが、例示的な音声コンテンツ・ウェブサイトのインタフェース・ページ５００は、これらおよび／または他の名前、サイズ、形状、機能、およびそれに関連する他の特性を有する、さまざまな数および／またはタイプのボタンを含むことができることが理解されよう。
【０１７２】
例示的な音声コンテンツ・ウェブサイトのインタフェース・ページ５００の３つのチャネル・ブックマーク・アイコン５０４は、ユーザの好きな音声コンテンツ（例えば、ラジオ・チャネル、音声チャネルなど、ならびにそれらのさまざまな組合せ）への直接アクセスを提供する。
【０１７３】
主に、特定の数、タイプ、および構成のユーザ・コントロールを有する音声コンテンツ・ウェブサイトのインタフェース・ページ５００の特定のレイアウトに関して、本明細書において描写および記載したが、音声コンテンツ・ウェブサイトのインタフェース・ページ５００は例示的であるにすぎず、音声コンテンツ・ウェブサイトのインタフェース・ページを実装するために、さまざまな他の数、タイプ、および構成のユーザ・コントロールを使用できることが理解されよう。
【０１７４】
一実施形態では、音声コンテンツ・ウェブサイトにより、例えば、無料で、および／または（例えば、ユーザがオンラインの音声コンテンツ・ウェブサイトのプレミアム版にアクセスするために支払うような）料金の支払い後、ユーザがオンラインの音声コンテンツ・ウェブサイトに登録することが可能になる。
【０１７５】
一実施形態では、ユーザが音声コンテンツ・ウェブサイトに登録すると、ユーザ用のユーザ・プロフィールが作成される。ユーザのユーザ・プロフィールは、ユーザへの音声コンテンツの配信の対象を絞る際に使用するのに適切な任意の情報を含むことができる。一実施形態では、例えば、ユーザ・プロフィール情報は、他の機能（例えば、ハイブリッド・ラジオ機能、コンテキスト・ベースのラジオ機能、リアルタイムの交通状況警報機能など、ならびにそれらのさまざまな組合せ）に関して、本明細書において記載された任意のユーザ・プロフィール情報を含むことができる。例えば、ユーザ・プロフィール情報は、個人情報、ユーザの嗜好情報（例えば、ユーザの好きなラジオ／音声チャネルのリスト、ユーザが好きおよび／または嫌いなジャンル、ユーザが好きおよび／または嫌いなアルバム／コンテンツのコレクション、ユーザが好きおよび／または嫌いな特定のアルバムおよび／または歌など）、ユーザのコンテキスト情報など、ならびにそれらのさまざまな組合せを含むことができる。
【０１７６】
一実施形態では、ユーザのユーザ・プロフィール情報の少なくとも一部は、ユーザへの配信用の音声コンテンツを選択するために、音声コンテンツ・ウェブサイトによって使用される。
【０１７７】
一実施形態では、ユーザのユーザ・プロフィール情報の少なくとも一部は、（例えば、ユーザがログインすると）ユーザへの表示用に音声コンテンツ・ウェブサイトから提供され、それにより、（例えば、ユーザが音声チャネル間をそれらの音声コンテンツ（例えば、例示的な音声コンテンツ・ウェブサイトのインタフェース・ページ５００のチャネル・ブックマーク・アイコン５０４）にアクセスするためにサーフィンできるように、ユーザの好きなラジオ／音声チャネルのリストを提示することにより）、ユーザが音声コンテンツを選択することが可能になる。
【０１７８】
ユーザの登録およびユーザ用の関連するユーザ・プロフィール情報の保持により、ユーザのユーザ・プロフィールからのユーザ・プロフィール情報に基づいて、ユーザが音声コンテンツの対象を絞った配信を依然として提供されながら、登録されたユーザが任意の適切な装置（例えば、ユーザのスマートフォン、ユーザのオフィス・コンピュータなど）から音声コンテンツ・ウェブサイトにアクセスすることが可能になる。
【０１７９】
音声コンテンツ・ウェブサイトのインタフェース・ページ５００に加えて、オンラインのラジオ・コンテンツ・ウェブサイトは、音声コンテンツの検索、音声コンテンツ検索結果の確認、音声コンテンツの再生、音声コンテンツに対するリアルタイムのフィードバックの提供、ユーザ・プロフィールの定義および修正など、ならびにそれらのさまざまな組合せなどの機能を、ユーザが実行することを可能にするために構成されたその他の適切なページを含むことができる。そのようなページのデザインは、そのような機能を可能にするのに適切な任意のデザインであり得る。
【０１８０】
一実施形態では、オンラインのラジオ・コンテンツ・ウェブサイトは、オンラインのラジオ・コンテンツ・ウェブサイトから受信された音声コンテンツとの対話を含む、オンラインの音声コンテンツ・ウェブサイトとの対話を、ユーザが可能にするために構成された１つまたは複数のユーザ・コントロールを含む。
【０１８１】
ユーザ・コントロールは任意の適切なタイプのユーザ・コントロールであり得る。例えば、ユーザ・コントロールは、ボタン、リンク、または、ウェブサイトを介して提供できるその他の適切なユーザ・コントロールであり得る。
【０１８２】
ユーザ・コントロールは、ユーザ・コントロールの作動に応答してプログラム可能な動作を起動するために構成されたプログラム可能なユーザ・コントロールであり得る。
【０１８３】
一実施形態では、例えば、ユーザ・コントロールは、オンラインのラジオ・コンテンツ・ウェブサイトを介して現在再生中の音声コンテンツに関するリアルタイムのフィードバックを提供するために構成することができる。
【０１８４】
ユーザ・コントロールは、オンラインのラジオ・コンテンツ・ウェブサイトを介して現在再生中の音声コンテンツに関する任意の適切なタイプのユーザ・フィードバックをサポートするために構成することができる。
【０１８５】
一実施形態では、例えば、ＬＩＫＥボタンおよび／またはＤＩＳＬＩＫＥボタンがオンラインのラジオ・コンテンツ・ウェブサイト上に提供され、それにより、オンラインのラジオ・コンテンツ・ウェブサイトを介して現在再生中の音声コンテンツに関するリアルタイムのフィードバックをユーザが提供することが可能になる（例えば、ユーザが再生中の音声コンテンツを好きな場合はＬＩＫＥボタンを作動し、ユーザが再生中の音声コンテンツを嫌いな場合はＤＩＳＬＩＫＥボタンを作動する）。
【０１８６】
一実施形態では、例えば、ユーザ・フィードバックをサポートするために構成されたユーザ・コントロールは動的であり得る。一実施形態では、例えば、ユーザがＰＬＡＹボタンを選択して音声の再生を開始すると、次いで、ＰＬＡＹボタンは、ユーザ・フィードバックをサポートするために構成されたボタンに自動的に変化することができる（例えば、ここでＰＬＡＹボタンは、オンラインのラジオ・コンテンツ・ウェブサイトを介して再生中の音声に関するリアルタイムのフィードバックをユーザが提供することを可能にするために構成されたＬＩＫＥボタンに動的に変更される）。この実施形態では、ユーザ・コントロールの動的な修正全体にわたる制御は、ローカルで（例えば、ローカルの論理回路を使用して）またはリモートで（例えば、ネットワークにより）提供することができる。
【０１８７】
そのような実施形態では、ユーザがそのようなユーザ・コントロールを選択すると、（例えば、現在再生中の歌を好きな歌としてユーザのユーザ・プロフィールの中に格納するために、現在再生中の歌はユーザが嫌いであるという指標をユーザ・プロフィールの中に格納するために、）ユーザの選択の指標がオンラインのラジオ・コンテンツ・ウェブサイトに伝送される。
【０１８８】
主に、ＬＩＫＥボタンおよび／またはＤＩＳＬＩＫＥボタンの使用に関して描写および記載したが、ユーザ・フィードバックは、任意の適切なユーザ・コントロールを使用して任意の適切な細分性で提供できることが理解されよう。
【０１８９】
記載された方式でそのようなユーザ・コントロールを使用すると、すべてのユーザ装置およびすべての条件（例えば、日、時刻など）にわたるユーザのユーザ体験の一貫性が保証されることが理解されよう。
【０１９０】
音声コンテンツ・ウェブサイトのコンテンツ・アクセス・ページ用の例示的なデザインが図６で描写される。このデザインは例示的であるにすぎず、その他の適切なデザインが使用できることが理解されよう。
【０１９１】
図６は、インターネット・ベースのラジオ機能用の例示的な音声コンテンツ・ウェブサイトのコンテンツ・アクセス・ページを描写する。
【０１９２】
例示的な音声コンテンツ・ウェブサイトのコンテンツ・アクセス・ページ６００は、ネットワーク内の１つまたは複数のサーバ上にホスティングされた、関連する音声コンテンツ・ウェブサイトのページである。
【０１９３】
一実施形態では、例示的な音声コンテンツ・ウェブサイトのコンテンツ・アクセス・ページ６００は、例示的な音声コンテンツ・ウェブサイトのインタフェース・ページ５００で行われた選択に応答して、（または、音声コンテンツ・ウェブサイトのその他の適切なページから）表示される。
【０１９４】
図６に描写されたように、例示的な音声コンテンツ・ウェブサイトのコンテンツ・アクセス・ページ６００は、音声コンテンツ・ウェブサイトを介して再生中の音声コンテンツに対するユーザ・フィードバックを提供するためのＬＩＫＥボタンおよびＤＩＳＬＩＫＥボタンのプログラム可能コントロールを図示するために、例示的な音声コンテンツ・ウェブサイトのコンテンツ・アクセス・ページ６００Ａおよび例示的な音声コンテンツ・ウェブサイトのコンテンツ・アクセス・ページ６００Ｂとして表記された、２つの状態を有する。
【０１９５】
図６に描写されたように、例示的な音声コンテンツ・ウェブサイトのコンテンツ・アクセス・ページ６００は、例示的な音声コンテンツ・ウェブサイトのインタフェース・ページ５００のいくつかの構成要素（実例として、ウェブサイト名５０１（ｓｉｍｐｌｙＲａｄｉｏＦＭ）およびチャネル・ブックマーク・アイコン５０４）を含む。
【０１９６】
図６に描写されたように、例示的な音声コンテンツ・ウェブサイトのコンテンツ・アクセス・ページ６００は、６００Ａと６００Ｂのどちらの状態においても、音声コンテンツ項目の識別子６０１、ならびに、ＰＬＡＹ／ＰＡＵＳＥボタン６０２、ＲＥＷボタン６０３、およびＦＦボタン６０４を含む、複数の音声コンテンツ・コントロールを含む。
【０１９７】
音声コンテンツ識別子６０１は、再生されている音声コンテンツ項目（例えば、アーティストの名前および歌の名前、または、音声コンテンツ・ウェブサイトを介して再生することができる音楽または他のタイプの音声コンテンツに関連付けることができるその他の適切な情報）を識別する。
【０１９８】
音声コンテンツ・コントロール、すなわち、ＰＬＡＹ／ＰＡＵＳＥボタン６０２、ＲＥＷボタン６０３、およびＦＦボタン６０４により、それぞれ、ユーザが音声コンテンツを再生／一時停止し、音声コンテンツを巻き戻し、かつ音声コンテンツを早送りすることが可能になる。
【０１９９】
本明細書において記載したように、音声コンテンツ・ウェブサイトのコンテンツ・アクセス・ページ６００の第１の状態６００Ａから音声コンテンツ・ウェブサイトのコンテンツ・アクセス・ページ６００の第２の状態６００Ｂへの遷移は、音声コンテンツ・ウェブサイトのコンテンツ・アクセス・ページ６００の第１の状態６００ＡによるＰＬＡＹ／ＰＡＵＳＥボタン６０２の選択に応答して起こる可能性がある。音声コンテンツ・ウェブサイトのコンテンツ・アクセス・ページ６００の第２の状態６００Ｂに関して描写されたように、音声コンテンツ・ウェブサイトのコンテンツ・アクセス・ページ６００の第１の状態６００ＡによりＰＬＡＹ／ＰＡＵＳＥボタン６０２を選択すると、音声コンテンツ・ウェブサイトのコンテンツ・アクセス・ページ６００の第１の状態６００ＡによるＰＬＡＹ／ＰＡＵＳＥボタン６０２の選択に応答して再生中の音声コンテンツにリアルタイムのフィードバックをユーザが提供することを可能にするために構成された、２つの別のボタンがプログラムに基づいて表示される。一実施形態では、本明細書において記載したように、かつ音声コンテンツ・ウェブサイトのコンテンツ・アクセス・ページ６００の第２の状態６００Ｂに関して描写されたように、２つの別のボタンはＬＩＫＥボタン６０５ＬおよびＤＩＳＬＩＫＥボタン６０５Ｄを含む。ユーザがＬＩＫＥボタン６０５Ｌを選択すると、ユーザが現在再生中の音声コンテンツを好きであることの指標が伝送され、同様に、ユーザがＤＩＳＬＩＫＥボタン６０５Ｄを選択すると、ユーザが現在再生中の音声コンテンツを嫌いであることの指標が伝送される。この好き／嫌い情報は、（例えば、ハイブリッド・ラジオ機能、コンテキスト・ベースのラジオ機能、リアルタイムの交通状況警報機能、インターネット・ベースのラジオ機能など、ならびにそれらのさまざまな組合せに関して描写および記載されたような）対象を絞った通信チャネルを介したコンテンツ、サービス、および／または推奨の対象を絞った配信をユーザに提供する際に使用するために伝送される。
【０２００】
主に、特定の数、タイプ、および構成のユーザ・コントロールを有する、音声コンテンツ・ウェブサイトのコンテンツ・アクセス・ページ６００の特定のレイアウトに関して、本明細書において描写および記載したが、音声コンテンツ・ウェブサイトのコンテンツ・アクセス・ページ６００は例示的であるにすぎず、音声コンテンツ・ウェブサイトのコンテンツ・アクセス・ページを実装するために、さまざまな他の数、タイプ、および構成のユーザ・コントロールが使用できることが理解されよう。
【０２０１】
ユーザの登録およびユーザ用の関連するユーザ・プロフィール情報の保持により、登録されたユーザが任意の適切な装置、例えば、（例えば、ユーザの車両内、ユーザの家庭用娯楽システムに内蔵された、ユーザのクロック・ラジオに内蔵された、などの）ユーザのハイブリッド・ラジオ、（例えば、ユーザのスマートフォン、ユーザのコンピュータなどを介した）インターネット・ベースのラジオ・サービス、など、ならびにそれらのさまざまな組合せを介して、対象を絞ったコンテンツを受信することが可能になる。
【０２０２】
図７は、インターネット・ベースのラジオ機能を介したユーザのユーザ体験の制御を図示する、例示的なユーザ体験環境を描写する。
【０２０３】
図７で描写されたように、ユーザ向けのユーザ体験環境７００は、ユーザのコンピュータを介してアクセス可能なインターネット・ベースのラジオ機能７０１、ユーザのクロック・ラジオ７０２に実装されたハイブリッド・ラジオ機能、ユーザの車７０３に実装されたハイブリッド・ラジオ機能、ユーザのスマートフォン７０４を介してアクセス可能なインターネット・ベースのラジオ機能、およびユーザのラジオ７０５に実装されたハイブリッド・ラジオ機能を含む。
【０２０４】
図７でさらに描写されたように、そのような装置を介したユーザへの音声コンテンツの対象を絞った配信は、ユーザに没入型のユーザ体験を提供するために使用することができる。例えば、ユーザは、ユーザのコンピュータを介してアクセス可能なインターネット・ベースのラジオ機能７０１を介した任意の適切な音声コンテンツ、クロック・ラジオ７０２に実装されたハイブリッド・ラジオ機能を介した朝の目覚まし音楽および夜のおとぎ話、ユーザの車７０３に実装されたハイブリッド・ラジオ機能を介したユーザが車内にいる間のユーザに望ましい音声コンテンツ、ユーザのスマートフォン７０４を介してアクセス可能なインターネット・ベースのラジオ機能を介したユーザが海岸にいる間のユーザに望ましい音声コンテンツ、ユーザのラジオ７０５に実装されたハイブリッド・ラジオ機能を介したユーザが応接室または台所でくつろいでいる間のリラックスさせるバックグラウンド・ミュージックを提供され得る。装置タイプ、機能タイプ、および音声コンテンツのこの特定の組合せは例示的であるにすぎず、したがって、ユーザ体験を創出するために、本明細書において描写および記載されたさまざまな実施形態に従って、装置タイプ、機能タイプ、および音声コンテンツの任意の適切な組合せが可能であることが理解されよう。
【０２０５】
図７への参照および本明細書において提供されたさまざまな実施形態の説明によって理解されるように、図７に関して記載されたユーザ体験はさらにもっと拡張することができる。一実施形態では、ネットワーク内にユーザ用のユーザ・アカウントおよびユーザのユーザ・プロフィール情報のすべてを保持することにより、ユーザは、自分の装置以外の装置から自分のアカウントにアクセスすることができる。例えば、ユーザは、友人または家族の一員のコンピュータから彼または彼女のアカウントにログインし、それでも、本明細書におけるさまざまな実施形態に関して描写および記載された方式で、対象を絞った音声コンテンツを受信することができる。例えば、移動しているとき、ユーザは、（例えば、対象を絞った音声コンテンツ、利用可能な音声コンテンツについての情報（例えば、ユーザにとって興味深い可能性があるコンテンツを再生する地方局に関する情報）など、ならびにそれらのさまざまな組合せを受信するために）、レンタカーを介して彼または彼女のアカウントにアクセスするためにいくつかのアカウント情報を入力することができる。
【０２０６】
この方式では、ユーザは、すべての装置、すべての状況、およびすべての時刻にわたって一貫したユーザ体験が提供される。
【０２０７】
図８は、インターネット・ベースのラジオ機能を使用するための方法の一実施形態を描写する。一実施形態では、方法８００は、ユーザに一貫したユーザ体験を提供するために、インターネット・ベースのラジオ機能を提供するサーバによって（例えば、図１に関して描写および記載されたＭＳ１３０によって）実行される。
【０２０８】
ステップ８０２で、方法８００が始まる。
【０２０９】
ステップ８０４で、ユーザ・フィードバックがユーザ用に受信される。ユーザ用のユーザ・フィードバックは、ユーザによるウェブサイトとのウェブサイト相互作用を介して捕捉されたフィードバックを含む。これは、ウェブサイトとの任意の適切なユーザ相互作用を含むことができ、インターネット・ベースのラジオ機能、（ならびに本明細書において描写および記載されたその他の関連する機能）に関して本明細書において記載したように、任意の適切なフィードバック情報を含むことができる。
【０２１０】
ステップ８０６で、ユーザのユーザ・プロフィールがユーザ・フィードバックに基づいて更新される。ユーザ・プロフィールは任意の適切な方式で更新することができる。ユーザ・プロフィールは任意の適切な情報を含むことができる。
【０２１１】
ステップ８０８で、ユーザのユーザ・プロフィールを使用してユーザ向けのコンテンツが選択される。ユーザのユーザ・プロフィールを使用するユーザ向けのコンテンツの選択は、（例えば、任意のさまざまな機能、例えば、ハイブリッド・ラジオ機能、コンテキスト・ベースのラジオ機能、リアルタイムの交通状況警報機能などに関して、本明細書において描写および記載されたような）任意の適切な方式で実行することができる。
【０２１２】
ステップ８１０で、ユーザ向けに選択されたコンテンツが、対象を絞った通信チャネルを介してユーザに向かって伝播される。インターネット・ベースのラジオ機能に関して描写および記載したように、ユーザ向けに選択されたコンテンツは、任意の適切なユーザ装置またはユーザ装置の組合せに（少なくとも図７への参照によって理解されるように、例えば、そこからユーザ・フィードバックが受信されたコンピュータまたは他の装置に、ユーザの１つまたは複数のハイブリッド・ラジオに、ユーザのスマートフォンに、など、ならびにそれらのさまざまな組合せに）、伝播することができる。
【０２１３】
ステップ８１２で、方法８００が終了する。
【０２１４】
主に、インターネット・ベースのラジオ機能の特定の実施形態に関して描写および記載したが、インターネット・ベースのラジオ機能は、主に、インターネット・ベースのラジオ機能に直接関連付けても関連付けなくてもよい他の機能に関して、本明細書において描写および記載されたさまざまな実施形態に従って、その他の適切な方式で実装できることが理解されよう。
【０２１５】
本明細書において記載したように、インターネット・ベースのラジオ機能は、ラジオ・ベースの音声コンテンツに加えて音声コンテンツをサポートし、したがって、インターネット・ベースのラジオ機能は、より一般に、インターネット・ベースの音声機能と呼ぶことができる。
【０２１６】
主に、音声ベースおよび／または音声に関連する機能のさまざまな実施形態に関して、上記に描写および記載したが、本明細書において描写および記載された対象を絞った通信機能のさまざまな実施形態は、他のタイプのコンテンツ（例えば、画像コンテンツ、ビデオ・コンテンツ、マルチメディア・コンテンツなど）、および他の関連するコンテンツ配信プラットフォーム（例えば、ビデオ放送プラットフォーム、ビデオ・オン・デマンド（ＶＯＤ）プラットフォームなど）に適用できることが理解されよう。
【０２１７】
一実施形態では、ビデオ・ベースの対象を絞った通信機能が提供される。
【０２１８】
ビデオ・ベースの対象を絞った通信機能により、ビデオ・コンテンツ、マルチメディア・コンテンツなど、ならびにそれらのさまざまな組合せを分配するビデオ・ベースのシステムのコンテンツ内に、対象を絞った通信が提供されることが可能になる。
【０２１９】
ビデオ・ベースの対象を絞った通信機能は、任意の適切なビデオ・ベースの通信システムを使用して提供することができる。例えば、ビデオ・ベースの対象を絞った通信機能は、デジタル・ビデオ放送（ＤＶＢ）システム（例えば、地上波テレビ・システム用のＤＶＢ−Ｔ、ケーブル・テレビ・システム用のＤＶＢ−Ｃ、衛星テレビ・システム用のＤＶＢ−Ｓ、ハンドヘルド・ベースのテレビ・システム用のＤＶＢ−ＨまたはＤＶＢ−ＳＨなど）、ビデオ・オン・デマンド（ＶＯＤ）システムなど、ならびにそれらのさまざまな組合せのうちの１つまたは複数を介して提供することができる。
【０２２０】
一実施形態では、ビデオ・ベースの対象を絞った通信機能は、音声コンテンツおよび／または他のタイプのコンテンツのユーザへの対象を絞った配信用の、本明細書において描写および記載された対象を絞った通信機能と実質的に同様の方式で（例えば、ビデオ・ベースのコンテンツの対象を絞った配信を提供するための方式内で図１〜８のさまざまな特徴、構成要素、機能などを修正することにより）実装される。
【０２２１】
一実施形態では、ビデオ・ベースの対象を絞った通信機能は、放送ビデオ／マルチメディア・システム、オン・デマンド・ビデオ／マルチメディア・システム、および／またはハイブリッド放送／オン・デマンド・ビデオ／マルチメディア・システムのための個性化されたザッピング体験を可能にするための機能を含む。
【０２２２】
図９は、例示的なビデオ・ベースの対象を絞った通信システムのハイレベル・ブロック図を描写する。
【０２２３】
図９に描写されたように、例示的なビデオ・ベースの対象を絞った通信システム９００は、ユーザ機器９１０、複数のビデオ・ベースのコンテンツ・ソース（ＶＣＳ）９２０１〜９２０Ｎ（一括して、ＶＣＳ９２０）、およびコンテンツ管理システム（ＣＭＳ）９３０を含み、さらに、ＶＣＳ９２０からユーザ機器９１０への放送チャネル９２５、および、ＣＭＳ９３０とユーザ機器９１０との間の対象を絞った通信チャネル９３５を含む。
【０２２４】
一実施形態では、ビデオ・コンテンツの対象を絞った配信用のビデオ・ベースの対象を絞った通信機能を提供するための、ユーザ機器９１０、ＶＣＳ９２０、およびＣＭＳ９３０の動作は、それぞれ、音声コンテンツの対象を絞った配信用のハイブリッド・ラジオ機能を提供するためのＨＲ１１０、ＢＡＳ１２０、およびＭＳ１３０の動作と同様である。
【０２２５】
ユーザ機器９１０は、ビデオ・ベースのコンテンツを受信し表示するために構成された任意の適切な装置（例えば、テレビ、ケーブル・ボックス、モデム、ルータ、さまざまなリモート・コントロールなど、ならびにそれらのさまざまな組合せ）を含むことができる。ビデオ・ベースの対象を絞った通信機能の特徴を記載する際に理解しやすいように、ある特定の装置、ならびにそのような装置の実装形態および相互作用がユーザ機器９１０に関して描写および記載される。しかしながら、ビデオ・ベースの対象を絞った通信機能を提供するために、装置のその他の適切なタイプ、実装形態、および相互作用を使用できることが理解されよう。
【０２２６】
ユーザ機器は、コントローラ９１１、ユーザ・コントローラ９１７、および提示インタフェース９１９を含む。
【０２２７】
コントローラ９１１は、プロセッサ９１２、メモリ９１３、通信モジュール９１４、入出力（Ｉ／Ｏ）モジュール９１５、および赤外線受信機９１６を含む。
【０２２８】
プロセッサ９１２はコントローラ９１１の動作を制御するために構成される。プロセッサ９１２は、メモリ９１３、通信モジュール９１４、およびＩ／Ｏモジュール９１５のそれぞれと結合される。
【０２２９】
メモリ９１３は、プログラム、データなどを含む、コントローラ９１１およびユーザ機器９１０の動作に関連する情報を格納するために構成される。例えば、メモリ９１３は、ユーザ機器９１０の動作を制御するためのプログラム、対象を絞った通信チャネル９３５を介してユーザ機器９１０からＣＭＳ９３０に提供されるフィードバック情報を収集するためのプログラム、放送チャネル９２５および／または対象を絞った通信チャネル９３５を介してユーザ機器９１０で受信されたビデオ・ベースのコンテンツ、対象を絞った通信チャネル９３５を介してユーザ機器９１０で受信された対象を絞った通信など、ならびにそれらのさまざまな組合せを格納することができる。
【０２３０】
通信モジュール９１４は、放送チャネル９２５を介してＶＣＳ９２０から放送ビデオ・ベースのコンテンツを受信し、対象を絞った通信チャネル９３５を介してＣＭＳ９３０と通信する（例えば、フィードバック情報をＣＭＳ９３０に送信する、ＣＭＳ９３０から対象を絞った通信を受信する、など、ならびにそれらのさまざまな組合せを行う）ように構成される。放送チャネル９２５を介して放送ビデオ・ベースのコンテンツを受信するコンテキスト内で、通信モジュール９１４は、任意の適切な放送ビデオ・ソースから任意の適切な放送ビデオ・ベースのコンテンツを受信するように調整されるために構成することができる。対象を絞った通信チャネル９２５を介して交換される対象を絞った通信のコンテキスト内で、通信モジュール９１４は、任意の適切な有線および／または無線の通信技術を使用して、ＣＭＳ９３０と通信するために構成することができる。本明細書において単一のモジュールとして描写および記載したが、通信モジュール９１４は、任意の適切な数および／またはタイプの通信インタフェースを使用して実装できることが理解されよう。
【０２３１】
Ｉ／Ｏモジュール９１５は、（Ｉ／Ｒ受信機９１６を介した）ユーザ・コントローラ９１７、および提示インタフェース９１９との通信をサポートするために構成される。Ｉ／Ｏモジュール９１５は、ユーザ・コントローラ９１７からユーザ入力を受信し、ユーザ入力の適切な処理（例えば、テレビ・チャネルの変更、音量および他の音声制御の調節、ＣＭＳ９３０への伝搬用のフィードバック情報の入力など、ならびにそれらのさまざまな組合せ）のためにユーザ入力をプロセッサ９１２に提供するために構成される。Ｉ／Ｏモジュール９１５は、プロセッサ９１２から情報を受信し、（例えば、テレビまたは他の適切なディスプレイ装置のディスプレイを介してビデオを表示するため、スピーカを介して音声を再生するため、テレビまたは他の適切なディスプレイ装置のディスプレイを介して対象を絞った通信情報を表示するために）提示インタフェース９１９に情報を提供するなど、ならびにそれらのさまざまな組合せのために構成される。理解しやすいように省略したが、Ｉ／Ｏモジュール９１５は、本明細書において描写および記載されたさまざまな機能を提供するために、ユーザ機器９１０のその他の構成要素とインタフェースできることが理解されよう。
【０２３２】
ユーザ・コントローラ９１７は、ビデオ・ベースの対象を絞った通信システムのさまざまな態様を制御する際に使用するのに適切な任意のユーザ・コントローラであり得る。例えば、ユーザ・コントローラ９１７は、テレビのリモート・コントロール、受信機ボックスに関連するリモート・コントロール、汎用のリモート・コントロール、コントローラとして動作するために構成されたユーザのスマートフォンなどであり得る。そのようなコントローラの通常の設計および動作が理解されよう。
【０２３３】
一実施形態では、ユーザ・コントローラ９１７は、通常のユーザ・コントローラには含まれない１つまたは複数の別のコントロールも含むことができ、それらは、サポートできるさまざまな対象を絞った通信機能と関連付けられる。そのような一実施形態では、例えば、ユーザ・コントローラ９１７は、以下のような３つの別のユーザ・コントロール９１８を含む。ＺＡＰボタン、ＬＩＫＥボタン、およびＤＩＳＬＩＫＥボタン。そのような別のユーザ・コントロールは、それらが提供されるユーザ・コントローラのタイプに依存する可能性がある、任意の適切なコントロールを使用して（例えば、１つまたは複数のボタン、（タッチ・スクリーン・ディスプレイを介して表示されたさまざまなメニューおよびオプションなどとの相互作用を介して常に表示することができ、アクセス可能な）１つまたは複数のタッチ・スクリーン・コントロールなど、ならびにそれらのさまざまな組合せを使用して）実装できることが理解されよう。そのような別のユーザ・コントロールの動作は、下記でより詳細に記載される。
【０２３４】
提示インタフェース９１９は、テレビの、および／またはテレビに関連する任意の適切な提示インタフェースであり得る。提示インタフェース９１９は、ビデオを表示するためのディスプレイ、およびビデオに関連する音声を再生するためのスピーカを含む。例えば、提示インタフェース９１９は、関連するスピーカを有するテレビ、コンピュータなどであり得る。提示インタフェース９１９は、（音声および／または他のタイプのコンテンツを含んでも含まなくてもよい）ビデオ・ベースのコンテンツ、対象を絞った通信情報（例えば、ビデオ・コンテンツ、音声コンテンツ、マルチメディア・コンテンツ、コンテンツおよびサービスに対する推奨、コンテンツおよびサービスに関連する情報など、ならびにそれらのさまざまな組合せ）など、ならびにそれらのさまざまな組合せを提示するために使用することができる。提示インタフェース９１９は、本明細書において描写および記載された対象を絞った通信機能に関連するその他の情報を提示するために使用することもできる。
【０２３５】
ＶＣＳ９２０は任意の放送ビデオ・ソースを含むことができる。ユーザ機器９１０は、放送チャネル９２５を介してＶＣＳ９２０から放送ビデオ・コンテンツを受信する。
【０２３６】
ＣＭＳ９３０は、さまざまなビデオ・ベースの対象を絞った通信機能を提供するために構成された管理システムであり、個性化されたザッピング体験を可能にするための機能を含むことができる。
【０２３７】
ＣＭＳ９３０は、ユーザ機器９１０との対象を絞った通信チャネル９３５をサポートし、それにより、さまざまなビデオ・ベースの対象を絞った通信機能を提供するために、ユーザ機器９１０とＣＭＳ９３０との間の相互作用を可能にする。対象を絞った通信チャネル９３５は、（例えば、フィードバックがユーザ機器９１０からＣＭＳ９３０に提供されることを可能にする）ユーザ機器９１０からＣＭＳ９３０へのアップリンク部、および（例えば、対象を絞った情報がＣＭＳ９３０からユーザ機器９１０に提供されることを可能にする）ＣＭＳ９３０からユーザ機器９１０へのダウンリンク部を含む。本明細書において記載したように、ユーザ機器９１０に提供された対象を絞った情報は、コンテンツ（ビデオ・コンテンツ、音声コンテンツなど、ならびにそれらのさまざまな組合せ）、サービス、（例えば、コンテンツおよび／またはサービスに対する）推奨など、ならびにそれらのさまざまな組合せのうちの１つまたは複数を含むことができる。本明細書において記載したように、対象を絞った通信チャネル９３５は、無線および／または有線の通信機能を利用できる任意の適切なタイプの双方向通信を使用して実装することができる。双方向であるとして本明細書において描写および記載したが、他の実施形態では、対象を絞った通信チャネル９３５は、例えば、アップリンクまたはダウンリンクのどちらかの通信チャネルとして実装される、単方向であり得ることが理解されよう。
【０２３８】
ＣＭＳ９３０は、対象を絞った通信チャネル９３５を介してユーザ機器９１０からフィードバック情報を受信し、ユーザ機器９１０に提供される対象を絞った通信情報を識別するためにフィードバック情報を処理し、対象を絞った通信情報をユーザ機器９１０に伝播するために構成される。ＣＭＳ９３０は、そのような機能を提供するために、さまざまな他の構成要素（例えば、ユーザ機器９１０に提供される対象を絞った通信情報を識別するために処理できる１つまたは複数の他の入力情報のソース、ＣＭＳ９３０からの命令に応答して対象を絞った通信情報をユーザ機器９１０に提供するために構成された１つまたは複数の構成要素など、ならびにそれらのさまざまな組合せ）と通信するために構成することもできる。
【０２３９】
理解しやすいように省略したが、ＣＭＳ９３０は、プロセッサ、メモリ、および、さまざまなビデオ・ベースの対象を絞った通信機能を提供するために構成されたさまざまな他の構成要素を含むことができることが理解されよう。本明細書において記載したように、ＣＭＳ９３０の設計および動作は、図１のＭＳ１３０の設計および動作（例えば、ユーザ用のユーザ・プロフィール、ユーザ用のコンテンツを選択するための分析論理回路、ユーザに提供されるコンテンツ、ユーザに提供される対象を絞った通信情報など、ならびにそれらのさまざまな組合せを格納すること）と実質的に同様であり得る。
【０２４０】
ＣＭＳ９３０は、ユーザ用のユーザ・プロフィールを保持するように構成される。ユーザ用のユーザ・プロフィールは、ユーザ用に収集されたユーザの嗜好情報を格納する。ユーザ用のユーザ・プロフィール内に保持されたユーザ・プロフィール情報は、任意の適切な方式で取得することができる。一実施形態では、ユーザ用のユーザ・プロフィール内に保持されたユーザ・プロフィール情報は、（例えば、リモート・コントロールまたはユーザ機器を制御するための他の適切な制御装置に提供された１つまたは複数のユーザ嗜好ボタンを使用して）ユーザ機器から受信されたユーザの嗜好情報を介して取得される。
【０２４１】
ＣＭＳ９３０は、ユーザのユーザ・プロフィール内に保持されたユーザの嗜好情報に基づいた、コンテンツの対象を絞った推奨および／またはユーザのユーザ機器へのコンテンツの配信を提供するように構成される。例えば、コンテンツ管理システムは、（例えば、ユーザが推奨されたチャネルに切り換えることの推奨をユーザに提供するために、および／または、推奨されたチャネルにただちに、もしくは任意の適切な起動条件に従ってユーザを自動的に切り換えるために）放送マルチメディア・システムの１つまたは複数の放送チャネルを選択することができる。例えば、コンテンツ管理システムは、（例えば、ユーザが推奨されたオン・デマンド項目を要求することの推奨をユーザに提供するために、および／または、推奨されたオン・デマンド項目にただちに、もしくは任意の適切な起動条件に従ってユーザを自動的に切り換えるために）オン・デマンド・マルチメディア・システムから１つまたは複数のオン・デマンド項目を選択することができる。
【０２４２】
本明細書において記載したように、一実施形態では、ユーザ機器９１０は、放送チャネルとインターネット・コンテンツ（例えば、インターネットを介して配信され、テレビを介した提示用に適切であり得るオン・デマンド・コンテンツおよびその他のコンテンツ）の両方を受信するために構成されたハイブリッドである。
【０２４３】
本明細書において記載したように、一実施形態では、ユーザ・コントローラ９１７は、ユーザがコンテンツを要求し、テレビまたは他の提示装置を介して現在提示されているコンテンツにフィードバックを提供することを可能にするために構成された、（例えば、テレビ・システムおよび他のビデオ・ベースのシステム用のリモート・コントロールに通常提供されるユーザ・コントロールに加えて）１つまたは複数の別のユーザ・コントロールを含む、通常のユーザ・コントローラの修正バージョンである。
【０２４４】
一実施形態では、例えば、ユーザ・コントローラ９１７の１つまたは複数の別のユーザ・コントロールは、ＺＡＰボタンならびにＬＩＫＥボタンおよびＤＩＳＬＩＫＥボタンを含む。
【０２４５】
一実施形態では、ＺＡＰボタンを選択すると、ＺＡＰボタンの選択の指標がＣＭＳ９３０に伝えられ、次いで、ＣＭＳ９３０はコンテンツの推奨をユーザに提供するか、またはコンテンツをユーザに提供する。ここで、関連するコンテンツはユーザのユーザ・プロフィールに基づいて選択される。コンテンツは放送コンテンツ（例えば、ＴＶチャネル）またはオン・デマンド・コンテンツであり得る。ＣＭＳ９３０がユーザのユーザ・プロフィールの一部としてユーザ向けのコンテンツのリストを保持する一実施形態では、ＺＡＰボタンを選択すると、ユーザ向けのリスト内の次のコンテンツ項目が選択される。例えば、選択されたコンテンツ項目がＴＶチャネルである場合、ＣＭＳ９３０は、（例えば、ＴＶチャネルで再生中またはＴＶチャネルで再生されようとしているコンテンツとユーザのユーザ・プロフィールとの間の照合に基づいて）選択されたＴＶチャネルに切り換えることの推奨でユーザを促すか、または選択されたＴＶチャネルにユーザを自動的に切り換えることができる。同様に、例えば、選択されたコンテンツ項目がオン・デマンド・コンテンツ項目である場合、ＣＭＳ９３０は、選択されたオン・デマンド・コンテンツ項目に切り換えることの推奨でユーザを促すか、または選択されたオン・デマンド・コンテンツ項目にユーザを自動的に切り換えることができる。
【０２４６】
ユーザが別のコンテンツ項目に切り換える可能性に関して促される実施形態では、ユーザは任意の適切な方式で促すことができる。そのような一実施形態では、例えば、ユーザは、推奨に関する複数のオプション（例えば、推奨されたコンテンツに切り換える、推奨されたコンテンツをスキップする、など）で促すことができる。例えば、オン・デマンド・コンテンツ項目は、ユーザが選択できる以下のオプションを提示することができる。「今観る」、「お気に入りに追加してザップする」（すなわち、このコンテンツは好きだが、今観たくない）、「別のものを見せて」、「これとこのセッションの他の有料コンテンツは要らない」（すなわち、ＴＶチャネルおよびこのセッションの残りの無料コンテンツだけを提供）、など。
【０２４７】
そのような実施形態では、選択されたコンテンツ項目のユーザへの提示またはユーザ向けに選択されたコンテンツ項目の推奨の提示に続いて、ユーザが提示されたコンテンツ項目に興味がない場合、ユーザは、ユーザ向けに選択された次のコンテンツ項目またはユーザ向けに選択された次のコンテンツ項目に関する推奨を受信するために、ただちにＺＡＰボタンを再び選択することができる。
【０２４８】
一実施形態では、ＬＩＫＥボタンまたはＤＩＳＬＩＫＥボタンを選択すると、コンテンツ（例えば、テレビまたは他の提示装置を介してユーザに現在提示されているビデオ・ベースのコンテンツ）を好きか嫌いかの指標がＣＭＳ９３０に伝えられる。次いで、ユーザがコンテンツを好きか嫌いかの指標は、コンテンツ嗜好情報としてユーザのユーザ・プロフィール内に格納される。コンテンツ嗜好情報は任意の適切な方式で格納することができる。一実施形態では、例えば、受信されたユーザがコンテンツを好きか嫌いかの指標は、ユーザが好きか嫌いかの選択を行うと同時に、ユーザ機器を介して提示された関連するコンテンツのメタデータに関連付けられる。一実施形態では、例えば、受信されたユーザがコンテンツを好きか嫌いかの指標は、ユーザが好きか嫌いかの選択を行うと同時に、ユーザ機器を介して提示された関連するコンテンツの１つまたは複数のジャンルのメタデータに関連付けられる。
【０２４９】
一実施形態では、ＺＡＰボタンが選択されると、ユーザがコンテンツを嫌いである指標をＣＭＳ９３０に伝えることができる。そのような一実施形態では、少なくとも閾値の長さの時間だけユーザが関連するコンテンツを観なかった場合、ＺＡＰボタンの選択だけが、ユーザがコンテンツを嫌いである指標を提供することができる（例えば、ユーザによるすばやいザッピングは、ユーザが現在再生中のコンテンツを好きでなく、したがって、異なるコンテンツを受信したい指標であり得る）。
【０２５０】
例えば、ＴＶを観ている間、ユーザは、「ターミネータ」と呼ばれる映画の中でアーノルド・シュワルツェネッガーが関与するロマンチックなシーンの間ＬＩＫＥボタンを押すことができ、関連する嗜好情報がＣＭＳ９３０に伝えられ、それにより、ザッピング中にＣＭＳ９３０が、アーノルドが関与する他のロマンチックな映画を提案または配信する可能性が高まる。
【０２５１】
例えば、コマーシャルが再生中のＴＶを観ている間、ユーザはＤＩＳＬＩＫＥボタンまたはＺＡＰボタンを押すことができ、関連する嗜好情報（例えば、そのタイプ（例えば、叫び声、うるさい、繰り返し、特定の俳優など）のコマーシャル、製品、などに対するユーザの嫌悪感）がＣＭＳ９３０に伝えられる。
【０２５２】
そのような実施形態では、ユーザは、何度でも好きなだけＬＩＫＥボタンおよびＤＩＳＬＩＫＥボタンを押すことができ、それにより、より細かな細分性で（例えば、シーン毎に基づいて、シーンの部分毎に基づいて、などで）ユーザの嗜好情報を捕捉することが可能になる。
【０２５３】
したがって、ユーザの嗜好情報は、任意の適切な細分性で（例えば、ジャンル毎、コンテンツ項目毎、コンテンツ項目の部分毎、俳優毎、主題毎など、ならびにそれらのさまざまな組合せで）、ユーザによって報告され、ＣＭＳ９３０によって保持されることが可能であることが理解されよう。
【０２５４】
主に、ユーザ・コントローラ上の特定の数、タイプ、および構成のそのような別のユーザ・コントロールに関して、本明細書において描写および記載したが、さまざまな他の数、タイプ、および／または構成のそのような別のユーザ・コントロールが、ユーザ・コントローラ上に実装できることが理解されよう。例えば、１つまたは複数のそのような別のユーザ・コントロールは、他のタイプのコントロールを使用して（例えば、タッチ・スクリーン機能を使用して、メニューおよびボタンを使用して、音声起動式の音声制御を使用して、などで）実装することができる。
【０２５５】
主に、そのような別のユーザ・コントロールがリモート・コントロール上に実装される実施形態に関して、本明細書において描写および記載したが、他の実施形態では、１つまたは複数のそのような別のユーザ・コントロールを、そのような機能の提供に使用するのに適切な１つまたは複数の他のユーザ装置上に（例えば、既存のリモート・コントロール装置とは別個のリモート・コントロール装置上に、テレビ上に、ユーザのスマートフォン上に、など、ならびにそれらのさまざまな組合せの上に）実装することができる。ユーザ・コントローラがインターネット・アクセスをサポートする装置（例えば、ユーザのスマートフォン）を使用して実装されるそのような一実施形態では、別個の対象を絞った通信チャネル９３６を、ユーザ・コントローラ９１７とＣＭＳ９３０との間に（すなわち、ユーザ機器９１０を介さずに）実装することができる。別個の対象を絞った通信チャネル９３６は、対象を絞った通信チャネル９３５の代わりになるか、またはそれに加えることができる。
【０２５６】
主に、単一のユーザによる個性化されたザッピング体験機能の使用に関して描写および記載したが、個性化されたザッピング体験機能は、マルチユーザ環境（例えば、マルチユーザの家庭、事務所など）において提供できることが理解されよう。そのような実施形態では、ユーザ機器９１０にアクセスする複数のユーザは、任意の適切な方式で区別することができる。一実施形態では、例えば、ユーザの少なくとも一部は、自分のユーザ・コントローラ装置を提供される場合があり、その結果、さまざまなユーザによるコンテンツとの対話がユーザ毎に基づいて（例えば、各ユーザは彼または彼女自身のユーザ・コントローラをもち、ユーザのサブセットはユーザ・コントローラを共有する、などで）記録され、ＣＭＳ９３０に伝播される可能性がある。そのような一実施形態では、例えば、ユーザの１人または複数が彼または彼女のスマートフォンを使用してコンテンツと対話することができ、その結果、さまざまなユーザによるコンテンツとの対話は、ユーザ毎に基づいて記録され、ＣＭＳ９３０に伝播される可能性がある。ユーザ機器にアクセスし、コンテンツと対話する複数のユーザは、任意の適切な方式で区別することができる。
【０２５７】
個性化されたザッピング体験機能は、既存のビデオ・ベースのコンテンツ配信システム全体にわたって著しい改良を提供する。例えば、既存のテレビ・システムは、ユーザがチャネル・ナンバ−によりＴＶチャネルを選択し、現在選択されているＴＶチャネルに対して前／次のＴＶチャネルにザッピングするためにＰＲＥＶボタンおよびＮＥＸＴボタンを使用してサーフィンすることを可能にする。しかしながら、これは、特にＩＰＴＶシステムにおいて必要な信号通知およびバッファリングに関して、きわめて非効率的である。例えば、Ｎｅｔｆｌｉｘなどの会社は、映画毎のユーザのランク付けを考慮に入れ、視聴履歴およびランク付けに基づいて他の映画を提案する推奨アルゴリズムを開発した。しかしながら、そのようなアルゴリズムは、個性化されたザッピング体験機能によって可能になったよりきめの細かい（例えば、シーン毎に基づいた、シーンのタイプ毎に基づいた、俳優毎に基づいた、などの）プロファイリングをサポートしない。例えば、Ｇｏｏｇｌｅは今やテレビに進出し、電子番組ガイド（ＥＰＧ）およびインターネット・コンテンツ（例えば、ＹｏｕＴｕｂｅ）を介してテレビ・チャネルを横断する検索を提供する。しかしながら、これは、テレビに関連する従来のザッピング体験を提供せず、まして本明細書において描写および記載された個性化されたザッピング体験機能の機能を提供しない。個性化されたザッピング体験機能は、テレビに関連する従来のザッピング体験を使用して、観るべきチャネルおよびコンテンツを発見する、より効率的な方法をユーザに提供し、それにより、コンテンツの製作者およびコンテンツ・プロバイダがユーザの好き嫌いをより良く理解することを可能にし、コンテンツ・プロバイダが（従来のザッピング体験とミックスすることによって）変化する可能性が高く、より高額なオン・デマンド・コンテンツを得ることを可能にし、かつさまざまな他の利益を提供することができる。
【０２５８】
ビデオ・ベースの対象を絞った通信機能を、主にテレビ・コンテンツを提供するコンテキスト内で描写および記載したが、ビデオ・ベースの対象を絞った通信機能は、他のタイプのビデオ・ベースのコンテンツ（例えば、ビデオ・オン・デマンドなど）を提供できることが理解されよう。
【０２５９】
主に、ビデオ・ベースの対象を絞った通信機能がビデオ・ベースのコンテンツ配信システム内で提供される実施形態に関して、本明細書において描写および記載したが、一実施形態では、本明細書において描写および記載されたインターネット・ベースの音声機能の原理は、インターネット・ベースのビデオ機能を提供するために適用することができる。この実施形態では、インターネット・ベースのビデオ機能は、インターネット・ベースの音声機能の実装と同様の方式で実装することができる。例えば、インターネット・ベースのビデオ機能は、（１）簡潔でユーザ・フレンドリな方式で従来のテレビ体験をインターネットの特徴と結合するために適用され、それにより、ビデオ・コンテンツの他のソースに対して視聴者のシェアを失っているテレビを再び活気づけ、（２）ビデオ・コンテンツのユーザ情報（例えば、ユーザの習慣、ユーザの嗜好など、ならびにそれらのさまざまな組合せ）との融合を可能にし、（３）適切な場所と時間に、個性化された、双方向の、対象を絞った方式で顧客との相互作用および顧客との通信の開始を可能にし、それにより、最適なユーザ体験を創出して、さまざまなブランドが既存のおよび潜在的な顧客とかかわり合い、長続きする関係を確立および維持することを可能にし、（４）ユーザがビデオ・コンテンツを利用するすべてのユーザ装置および状況にわたって一貫した、均等で、上品で、簡潔で、目立たないユーザ体験を提供し、それにより、さまざまなブランドが自社のメッセージを伝え、自社のイメージを構築することを可能にするために理想的なチャネルを創出する。インターネット・ベースの音声機能と同様に、インターネット・ベースのビデオ機能は、任意の適切なコンピュータ装置（例えば、デスクトップ・コンピュータ、ラップトップ・コンピュータ、ノートブック、サブノートブック、スマートフォン、携帯電話、または、ビデオ・ベースのコンテンツを提示できるその他の適切な装置）によってサポートし、かつ／またはそれらからアクセスすることができる。
【０２６０】
ハイブリッド・ラジオの実施形態に関して本明細書において記載したように、ビデオ・ベースのシステムで使用するための個性化されたザッピング体験機能のさまざまな原理は、本明細書において描写および記載されたさまざまなハイブリッド・ラジオの実施形態（例えば、ラジオで利用可能なＬＩＫＥボタン、ＤＩＳＬＩＫＥボタン、および／またはＺＡＰボタンを使用する、音声ベースのコンテンツに対するユーザの嗜好情報を含む同様のユーザ・プロフィールを保持する、など、ならびにそれらのさまざまな組合せ）で使用するために適用することもできる。ハイブリッド・ラジオ・システムおよびビデオ・ベースのシステムの中で個性化されたザッピング体験を提供するための実施形態は、（対象を絞った通信チャネルを介して提供された個性化されたザッピングを描写および記載する）図１０、および（ローカル処理を介して提供された個性化されたザッピングを描写および記載する）図１１に関して描写および記載される。
【０２６１】
図１０は、対象を絞った通信チャネルを使用して個性化されたザッピング体験を提供するための方法の一実施形態を描写する。方法１０００は、そのような個性化されたザッピング体験を提供することができる、ハイブリッド・ラジオ・システム、ビデオ・ベースのシステム、またはその他の適切なシステムのコンテキスト内で、個性化されたザッピング体験を提供するために使用することができる。図１０の方法１０００は、コンテンツ管理システムまたはその他の適切な装置によって実行することができる。
【０２６２】
ステップ１００２で、方法１０００が始まる。
【０２６３】
ステップ１００４で、ユーザのザッピング要求が対象を絞った通信チャネルを介して受信される。
【０２６４】
ステップ１００６で、ユーザ向けおよびユーザのユーザ・プロフィール向けの選択に利用可能なコンテンツ項目に関連する情報を使用して、コンテンツ項目がユーザ向けに選択される。
【０２６５】
コンテンツ項目は、ユーザ向けの選択に利用可能な任意の適切なコンテンツ項目（例えば、音声コンテンツ、ビデオ・コンテンツ、マルチメディア・コンテンツなど）であり得る。
【０２６６】
ユーザ向けの選択に利用可能なコンテンツ項目に関連する情報は、ユーザのユーザ・プロフィールに基づいたコンテンツ項目の選択を可能にする方式でコンテンツ項目を記載する際に使用するのに適切な任意の情報（例えば、コンテンツ項目の名前、コンテンツ項目に関連する１人または複数のアーティストの名前、コンテンツ項目の１つまたは複数の特徴など、ならびにそれらのさまざまな組合せ）を含むことができる。ユーザ向けの選択に利用可能なコンテンツ項目に関連する情報は、任意の適切な方式で、例えば、任意の適切なソースから（例えば、ハイブリッド・ラジオ・システム内で利用可能なラジオ局のＥＰＧから、テレビ・システム内で利用可能なテレビ・チャネルのＥＰＧから、など）、任意の適切な時間に（例えば、方法１０００の実行の前に、方法１０００の実行中に、など）、など、ならびにそれらのさまざまな組合せで、ユーザ装置によって取得することができる。
【０２６７】
ユーザ・プロフィールは、ユーザの個人情報、（リアルタイムのフィードバック情報を含むことができる）ユーザのユーザ嗜好情報、ユーザのコンテキスト情報などの、任意の適切な情報を含むことができる。ユーザのユーザ・プロフィールは、任意の適切な方式で創出し更新することができる。
【０２６８】
ユーザ装置のユーザのユーザ・プロフィールを使用してユーザ向けのコンテンツ項目を選択するための処理は、任意の適切な照合／選択アルゴリズムを使用して実行することができる。
【０２６９】
ステップ１００８で、対象を絞った通信チャネルを介して、対象を絞ったコンテンツ配信処理がユーザ向けに開始される。対象を絞ったコンテンツ配信処理は、ユーザ向けに選択されたコンテンツ項目に基づいている。対象を絞ったコンテンツ配信処理は、（例えば、特定のテレビ・チャネルに切り換えること、特定のテレビ・チャネルを介して提供されるプログラムを録画するようにレコーダをセットすること、オン・デマンド・サービスを介してコンテンツ項目を受信するように要求することなどにより）ユーザが選択されたコンテンツ項目にアクセスすることを推奨するコンテンツの推奨をユーザに送信すること、（例えば、コンテンツ項目がオン・デマンド・コンテンツ項目である場合）選択されたコンテンツ項目をユーザに送信すること、選択されたコンテンツ項目を再生している特定のテレビ・チャネルにユーザを自動的に切り換えるための制御メッセージを開始することなど、ならびにそれらのさまざまな組合せを含むことができる。
【０２７０】
ステップ１０１０で、方法１０００が終了する。
【０２７１】
図１１は、ローカル処理を使用して個性化されたザッピング体験を提供するための方法の一実施形態を描写する。方法１１００は、そのような個性化されたザッピング体験を提供することができる、ハイブリッド・ラジオ・システム、ビデオ・ベースのシステム、またはその他の適切なシステムのコンテキスト内で、個性化されたザッピング体験を提供するために使用することができる。図１１の方法１１００は、任意の適切なユーザ装置（例えば、ハイブリッド・ラジオ・システム内のハイブリッド・ラジオ、ビデオ・ベースのシステム内のユーザ機器、またはその他の適切な装置）によって実行することができる。
【０２７２】
ステップ１１０２で、方法１１００が始まる。
【０２７３】
ステップ１１０４で、ユーザのザッピング要求がユーザ装置で検出される。
【０２７４】
ステップ１１０６で、ユーザ装置に利用可能なコンテンツ・チャネルに関連するメタデータ、およびユーザ装置のユーザのユーザ・プロフィールを使用して、コンテンツ・チャネルがユーザ向けに選択される。
【０２７５】
コンテンツ・チャネルは、ユーザ装置での選択に利用可能な任意の適切なコンテンツ・チャネル（例えば、ハイブリッド・ラジオ・システム内の放送ラジオ局、テレビ・システム内のテレビ・チャネルなど）であり得る。
【０２７６】
メタデータは、利用可能なコンテンツ・チャネルに関連付けることができる、任意の適切なメタデータを含むことができる。例えば、コンテンツ・チャネルがラジオ局であるハイブリッド・ラジオ・システムでは、メタデータは、ラジオ局で現在再生中の歌または他の音声コンテンツの名前、ラジオ局で現在再生中の歌または他の音声コンテンツのアーティスト／話者の名前、ラジオ局で現在再生中の音声コンテンツの１つまたは複数の特性（例えば、ジャンル、ランク付けなど）、など、ならびにそれらのさまざまな組合せなどの情報を含むことができる。例えば、コンテンツ・チャネルがテレビ・チャネルであるテレビ・システムでは、メタデータは、テレビ・チャネルで現在利用可能なテレビ番組の名前、テレビ番組の男優／女優、テレビ・チャネルで現在利用可能なテレビ番組の１つまたは複数の特性（例えば、ジャンル、ランク付けなど）、など、ならびにそれらのさまざまな組合せなどの情報を含むことができる。
【０２７７】
メタデータは、任意の適切な方式で、例えば、任意の適切なソースから（例えば、ハイブリッド・ラジオ・システム内で利用可能なラジオ局のＥＰＧから、テレビ・システム内で利用可能なテレビ・チャネルのＥＰＧから、など）、任意の適切な時間に（例えば、方法１１００の実行前、方法１１００の実行中など）、など、ならびにそれらのさまざまな組合せで、ユーザ装置によって取得することができる。そのような実施形態では、メタデータは定期的にユーザ装置によって取得し、個性化されたザッピング体験を提供する際に使用するためにユーザ装置上に格納することができる。
【０２７８】
ユーザ・プロフィールは、ユーザの個人情報、（リアルタイムのフィードバック情報を含むことができる）ユーザのユーザ嗜好情報、ユーザのコンテキスト情報などの、任意の適切な情報を含むことができる。ユーザのユーザ・プロフィールは、任意の適切な方式で創出し更新することができる。そのような実施形態では、ユーザ・プロフィールは、個性化されたザッピング体験を提供する際に使用するためにユーザ装置上に格納することができる。
【０２７９】
ユーザ装置に利用可能なコンテンツ・チャネルに関連するメタデータ、およびユーザ装置のユーザのユーザ・プロフィールを使用して、ユーザ向けにコンテンツ・チャネルを選択するための処理は、任意の適切な照合／選択アルゴリズムを使用して実行することができる。
【０２８０】
ステップ１１０８で、対象を絞ったコンテンツ配信処理がユーザ装置でユーザ向けに開始される。対象を絞ったコンテンツ配信処理は、ユーザ向けに選択されたコンテンツ・チャネルに基づいている。対象を絞ったコンテンツ配信処理は、（例えば、ユーザ装置を介してユーザに提供された聴覚および／もしくは視覚のインジケータを介して、または、そのような推奨を提供するためのその他の適切なメカニズムを使用して）ユーザが選択されたコンテンツ・チャネルに切り換えることを推奨する推奨をユーザに提供すること、選択されたコンテンツ・チャネルに自動的に切り換えること（例えば、ラジオ・チューナをハイブリッド・ラジオ・システム内の選択されたラジオ局に調節すること、テレビ・チューナをテレビ・システム内の選択されたテレビ・チャネルに調節することなど）、など、ならびにそれらのさまざまな組合せを含むことができる。
【０２８１】
ステップ１１１０で、方法１１００は終了する。
【０２８２】
理解しやすいように省略したが、本明細書において描写および記載された１つまたは複数の管理システムは、１つまたは複数のプロバイダ（例えば、コンテンツ・プロバイダ、サービス・プロバイダなど、ならびにそのような役割を複数務めるプロバイダ）に機能を提供することができる。そのような実施形態では、ユーザのユーザ嗜好情報は、単一のプロバイダのさまざまなサービスにわたって、同じタイプのさまざまなプロバイダにわたって（例えば、さまざまな音声プロバイダにわたって、さまざまなビデオ・プロバイダにわたって、など）、さまざまなプロバイダのタイプにわたって（例えば、音声およびビデオのコンテンツ・プロバイダによって）、など、ならびにそれらのさまざまな組合せで使用することができる。
【０２８３】
主に、対象を絞った通信アカウントに関連付けられた単一ユーザのコンテキスト内で、本明細書において描写および記載したが、多くの場合、対象を絞った通信アカウントに関連付けられた複数のユーザが存在する可能性があることが理解されよう。これは、例えば、アカウントを共有する家族、アカウントを共有するルームメイト、またはその他の同様の状況で起こる可能性がある。一実施形態では、ユーザは、対象を絞った通信機能を現在使用しているユーザまたは一組のユーザを管理システムに示すための機能が提供され、その結果、コンテンツ、サービスなどの配信をそのように適応させることができる。これにより、ユーザに提供されるコンテンツ、サービス、推奨、および／または他の情報を選択する場合、複数のユーザの嗜好を考慮することが可能になる（例えば、ユーザの重複する嗜好に基づいて選択を行う、ユーザのそれぞれについて選択を行い各ユーザが満足するように選択を交互に配信する、など、ならびにそれらのさまざまな組合せを行う）。例えば、ハイブリッド・ラジオを含む車内に夫と妻がいる場合、両方にとって好ましい音声コンテンツのみがハイブリッド・ラジオを介して配信される。例えば、夫と妻が自分の子供たちとテレビを観ている場合、家族向けに選択されるビデオ・ベースのコンテンツを（例えば、一般向けの番組および映画、家族の各メンバーに好ましいジャンルからの番組および映画など、ならびにそれらのさまざまな組合せ上で）そのように適応させることができる。
【０２８４】
主に、ＩＰベースの対象を絞った通信チャネルの使用に関して描写および記載したが、対象を絞った通信チャネルは、（例えば、ＩＰに加えて、またはその代わりに）その他の適切な通信プロトコルを利用することができる。
【０２８５】
図１２は、本明細書において記載された機能を実行する際に使用するのに適切なコンピュータのハイレベル・ブロック図を描写する。
【０２８６】
図１２で描写されたように、コンピュータ１２００は、プロセッサ構成要素１２０２（例えば、中央処理装置（ＣＰＵ）および／または他の適切なプロセッサ）、メモリ１２０４（例えば、ランダム・アクセス・メモリ（ＲＡＭ）、リード・オンリ・メモリ（ＲＯＭ）など）、協働モジュール／プロセス１２０５、ならびに、さまざまな入出力装置１２０６（例えば、（キーボード、キーパッド、マウスなどの）ユーザ入力装置、（ディスプレイ、スピーカなどの）ユーザ出力装置、入力ポート、出力ポート、受信機、送信機、および記憶装置（例えば、テープ・ドライブ、フロッピ・ドライブ、ハード・ディスク・ドライブ、コンパクト・ディスク・ドライブなど））を含む。
【０２８７】
本明細書において描写および記載された機能は、例えば、汎用コンピュータ、１つもしくは複数の特定用途向け集積回路（ＡＳＩＣ）、および／またはその他のハードウェア等価物を使用して、ソフトウェアおよび／またはハードウェアに実装できることが理解されよう。一実施形態では、協働プロセス１２０５はメモリ１２０４の中にロードされ、本明細書において記載された機能を実装するために、プロセッサ１２０２によって実行することができる。したがって、（関連するデータ構造を含む）協働プロセス１２０５は、コンピュータ可読記憶媒体、例えば、ＲＡＭメモリ、磁気式または光学式のドライブまたはディスケットなどに格納することができる。
【０２８８】
図１２で描写されたコンピュータ１２００は、本明細書において記載された機能的な構成要素、および／または本明細書において記載された機能的な構成要素の一部を実装するのに適切な、一般的なアーキテクチャおよび機能性を提供することが理解されよう。例えば、コンピュータ１２００は、ＨＲ１１０、ＢＡＳ１２０、ＭＳ１３０、ユーザ機器９１０、ＶＣＳ９２０、ＣＭＳ９３０などのうちの１つまたは複数を実装するのに適切な、一般的なアーキテクチャおよび機能性を提供する。
【０２８９】
本明細書においてソフトウェア方法として説明されたステップの一部は、例えば、プロセッサと協働してさまざまな方法のステップを実行する電気回路として、ハードウェア内に実装できると考えられる。本明細書において記載された機能／構成要素の一部は、コンピュータ・プログラム製品として実装することができ、そこでは、コンピュータ命令がコンピュータによって処理されると、本明細書において記載された方法および／または技法が起動されるか、またはその他の方法で提供されるように、コンピュータの動作を適合させる。本発明の方法を起動するための命令は、固定された、もしくはリム−バルな媒体に格納され、放送もしくは他の信号伝達媒体の中のデータ・ストリームを介して伝送され、および／または、命令に従って動作するコンピュータ装置内のメモリに格納される場合がある。
【０２９０】
さまざまな実施形態の態様が特許請求の範囲に明記される。さまざまな実施形態のそれらおよび他の態様が、以下の番号を付けられた条項に明記される。
【０２９１】
１．  放送チャネルを介して放送コンテンツを受信するために構成された第１の通信モジュールと、
データ通信チャネルをサポートするために構成され、前記データ通信チャネルを介してフィードバック情報を送信すること、および前記データ通信チャネルを介して対象を絞った通信情報を受信することのうちの少なくとも１つのために構成された、第２の通信モジュールと
を備えた装置。
２．  前記放送コンテンツが音声コンテンツ、ビデオ・コンテンツ、およびマルチメディア・コンテンツのうちの少なくとも１つを含む、条項１に記載の装置。
３．  前記放送コンテンツが音声コンテンツを含み、前記放送チャネルが放送音声チャネルを含む、条項１に記載の装置。
４．  前記放送音声チャネルが、周波数変調（ＦＭ）ラジオ・チャネル、振幅変調（ＡＭ）ラジオ・チャネル、および衛星ラジオ・チャネルのうちの１つを含む、条項３に記載の装置。
５．  前記第１および第２の通信モジュールがラジオ装置内に配置された、条項３に記載の装置。
６．  前記フィードバック情報が、
前記放送チャネルを介して受信された前記放送コンテンツを、ユーザが好きか嫌いかを示すユーザの嗜好情報と、
ユーザの位置、ユーザの位置の少なくとも１つの特徴、前記ユーザの位置での時刻、および前記ユーザの気分のうちの少なくとも１つを含む、前記ユーザに関連するユーザのコンテキスト情報と、
交通状況を示す情報を報告する交通状況と
のうちの少なくとも１つを含む、条項１に記載の装置。
７．  前記対象を絞った通信情報が、
ユーザのユーザ・プロフィールに基づいて前記ユーザ向けに選択されたコンテンツと、
ユーザのユーザ・プロフィールに基づいて前記ユーザ向けに行われた、前記ユーザ向けのコンテンツの推奨と、
ユーザによって経験されると予想される交通状況を前記ユーザに警告するためになされた交通警報と
のうちの少なくとも１つを含む、条項１に記載の装置。
８．  前記対象を絞った通信情報が前記交通警報を含む場合、前記対象を絞った通信情報が前記ユーザ向けの少なくとも１つの推奨をさらに含み、前記ユーザが前記交通警報の前記交通状況によって影響を受けると予想される時間の長さに少なくとも一部は基づいて、前記推奨が前記ユーザ向けに選択された、条項７に記載の装置。
９．  放送チャネルを介して受信された放送コンテンツの提示を制御し、
前記データ通信チャネルを介したフィードバック情報の送信、および前記データ通信チャネルを介した対象を絞った通信情報の受信のうちの少なくとも１つを含む、データ通信チャネルを介した通信を制御する
ために構成されたプロセッサ
を備えた装置。
１０．  前記放送コンテンツが音声コンテンツ、ビデオ・コンテンツ、およびマルチメディア・コンテンツのうちの少なくとも１つを含む、条項９に記載の装置。
１１．  前記放送コンテンツが音声コンテンツを含み、前記放送チャネルが放送音声チャネルを含む、条項９に記載の装置。
１２．  前記放送音声チャネルが、周波数変調（ＦＭ）ラジオ・チャネル、振幅変調（ＡＭ）ラジオ・チャネル、および衛星ラジオ・チャネルのうちの１つを含む、条項１１に記載の装置。
１３．  前記プロセッサがラジオ装置内に配置され、ラジオ装置が、車両内に配置されたラジオ、独立型ラジオ装置、および家庭用娯楽システムに内蔵されたラジオのうちの１つを含む、条項１１に記載の装置。
１４．  前記プロセッサがコンピュータ装置内に配置され、コンピュータ装置が、デスクトップ・コンピュータ、ラップトップ・コンピュータ、サブノートブック、タブレット、スマートフォン、および携帯電話のうちの１つである、条項９に記載の装置。
１５．  前記フィードバック情報が、
前記放送チャネルを介して受信された前記放送コンテンツを、ユーザが好きか嫌いかを示すユーザの嗜好情報と、
前記ユーザの位置、前記ユーザの位置の少なくとも１つの特徴、前記ユーザの位置での時刻、および前記ユーザの気分のうちの少なくとも１つを含む、前記ユーザに関連するユーザのコンテキスト情報と、
交通状況を示す情報を報告する交通状況と
のうちの少なくとも１つを含む、条項９に記載の装置。
１６．  前記対象を絞った通信情報が、
ユーザのユーザ・プロフィールに基づいて前記ユーザ向けに選択されたコンテンツと、
ユーザのユーザ・プロフィールに基づいて前記ユーザ向けに行われた、前記ユーザ向けのコンテンツの推奨と、
ユーザによって経験されると予想される交通状況を前記ユーザに警告するためになされた交通警報と
のうちの少なくとも１つを含む、条項９に記載の装置。
１７．  前記対象を絞った通信情報が前記交通警報を含む場合、前記対象を絞った通信情報が前記ユーザ向けの少なくとも１つの推奨をさらに含み、前記ユーザが前記交通警報の前記交通状況によって影響を受けると予想される時間の長さに基づいて、前記推奨が前記ユーザ向けに選択された、条項１６に記載の装置。
１８．  ラジオと対話するための方法であって、
前記ラジオとの双方向チャネルを介して前記ラジオからフィードバック情報を受信するステップであって、前記ラジオが放送音声チャネルを介して放送音声コンテンツを受信するためになされた、ステップと、
前記ラジオとの前記双方向チャネルを介して前記ラジオに向かって対象を絞った通信情報を伝播するステップと
を含む、方法。
１９．  前記フィードバック情報が、前記放送音声チャネルを介して前記ラジオで受信された放送音声コンテンツに関連付けられた、条項１８に記載の方法。
２０．  前記フィードバック情報が、前記放送音声チャネルを介して前記ラジオで受信された前記放送音声コンテンツを、前記ラジオのユーザが好きか嫌いかを示すユーザの嗜好情報を含む、条項１９に記載の方法。
２１．  前記対象を絞った通信情報が、音声コンテンツおよび前記ユーザ向けの音声コンテンツの推奨のうちの少なくとも１つを含む、条項１９に記載の方法。
２２．  前記フィードバック情報がユーザのコンテキスト情報を含む、条項１８に記載の方法。
２３．  前記ユーザのコンテキスト情報が、ユーザの位置、ユーザの位置の少なくとも１つの特徴、および前記ユーザの気分のうちの少なくとも１つを含む、条項２２に記載の方法。
２４．  前記対象を絞った通信情報が、音声コンテンツおよび前記ユーザ向けの音声コンテンツの推奨のうちの少なくとも１つを含む、条項２２に記載の方法。
２５．  前記フィードバック情報が交通状況の徴候を含む、条項１８に記載の方法。
２６．  前記対象を絞った通信情報が、前記ユーザによって経験されると予想される交通状況を前記ユーザに警告するためになされた交通警報を含む、条項１８に記載の方法。
２７．  前記対象を絞った通信情報が前記ユーザ向けの少なくとも１つの推奨をさらに含み、前記ユーザが前記交通警報の前記交通状況によって影響を受けると予想される時間の長さに少なくとも一部は基づいて、前記推奨が前記ユーザ向けに選択された、条項２６に記載の方法。
２８．  前記双方向チャネルがネットワークによってサポートされ、前記対象を絞った通信情報が、前記ネットワークのトラフィック負荷状況中にユニキャスト・コンテンツよりも放送コンテンツを推奨するように構成された推奨アルゴリズムを使用して、コンテンツを含む、条項１８に記載の方法。
【０２９２】
本発明の教示を組み込むさまざまな実施形態が本明細書において詳細に提示および記載されたが、当業者は、それでもなおこれらの教示を組み込む多くの他の変形された実施形態を容易に考案することができる。
【図１】
2013546031.tif 000003
【図２】
2013546031.tif 000004
【図３】
2013546031.tif 000005
【図４】
2013546031.tif 000006
【図５】
2013546031.tif 000007
【図６】
2013546031.tif 000008
【図７】
2013546031.tif 000009
【図８】
2013546031.tif 000010
【図９】
2013546031.tif 000011
【図１０】
2013546031.tif 000012
【図１１】
2013546031.tif 000013
【図１２】
2013546031.tif 000014
【国際調査報告】
2013546031.tif 000015
2013546031.tif 000016
2013546031.tif 000017